(57)【特許請求の範囲】
【請求項１】
火災感知器、中継器、発信機或いは被制御機器等の複数の端末装置が受信部に接続    されている防災設備において、受信部は、各端末装置をグループ分けして、各グルー プ毎に呼び出してグループ内の端末装置からの所定情報を収集するグループ情報収集 フレームと、発信機からの作動情報を収集する発信機検出フレームとからなるポーリ ング動作を行うものであり、発信機検出フレームは、複数の発信機が発報した場合に、
１つの発報のみが優先して受信部に送信されることを特徴とする防災設備。
【請求項２】
前記発信機は他の発信機が同時に信号送出状態にある時に、他の発信機との優先度    合を判別する判別手段を有してなることを特徴とする請求項１記載の防災設備。
【発明の詳細な説明】
【０００１】
【産業上の利用分野】
本発明は、火災感知器、中継器、発信機或いは被制御機器等の複数の端末装置が受信部に接続される防災設備に関するものである。
【０００２】
【従来技術】
従来、火災感知器、中継器、発信機或いは被制御機器等の複数の端末装置が火災受信機に接続される防災設備においては、各端末装置にアドレスを割付け、火災受信機側からの前記アドレスによって、端末装置を順次呼び出し、呼び出された端末装置だけが火災感知信号等のその端末装置に関する個別情報を上記火災受信機へ送出するポーリング方式が用いられていた。そして、前記火災受信機は、複数の警報線にそれぞれ複数個接続された多数の端末装置を火災受信機に内蔵するデータ処理装置を使用して順次呼出し、各端末装置からの火災発生等の情報を収集している。
【０００３】
【発明が解決しようとする課題】
従って、このようなポーリング方式を用いると、各端末装置は、呼び出しを受けるまで情報を、上記火災受信機に送出することができない。この呼び出しを受ける周期は、線路に接続されている端末装置数の増加に応じ長くなる。そこで、端末装置のうち、情報が生成されてから所定の時間内に上記火災受信機に情報を伝送しなければならない端末装置が存在すると、線路に接続できる端末装置数には限界が生ずる。このような速やかな伝送が要求される端末装置としては、特に、上記の発信機がある。発信機とは、火災を通報しようとする者がその発信機の押しボタン等を操作することにより、当該発信機から作動信号が火災受信機に送信され、その信号を受けた当該火災受信機が受信したことを示す応答信号をその火災受信機から発信機に送信して、発信機から火災通報が伝送された旨を応答ランプの点灯等により表示するものをいう。この場合、発信機を操作後、当該発信機に上記表示が行われるまで、最悪の場合にはポーリング周期の時間を要する場合もある。このような時間差に対して当該通報者が奇異を感ずることもあり、この差を少なくするために一本の線路に接続する端末装置の総数を十分に配慮する必要がある。
【０００４】
これを解決するためのもとして、通常、火災受信機から伸びた線路に接続された複数の端末装置を順次呼び出して、各端末装置独自の個別情報を収集するが、発信機を有する端末装置における発信機の作動に基づいて少なくとも発信機を有する端末装置に共通な特定情報を上記個別情報に優先して、火災受信機に伝達させるとともに、当該火災受信機がその特定情報を受信することによって、当該火災受信機を有する端末装置を他の端末装置に優先して呼び出し、発信機の作動した端末装置を特定するように構成しているものが発明されていた。
【０００５】
しかし、このような方式では、発信機を有する端末装置から上記特定情報を火災受信機に伝達し、その後、火災受信機は発信機を有する端末装置を順次呼び出し、発信機の作動した端末装置を特定するので、発信機を有する端末装置が多数接続されている場合には発信機の作動した端末装置を特定するまで、又、発信機を操作後、当該発信機に火災受信機から火災通報が伝送された旨の表示が行われるまでにはやはり時間がかかるという問題があった。
【０００６】
本発明は、上記発信機を有する端末装置が多数接続されている場合に、発信機の作動した端末装置を迅速に特定し、当該発信機に火災受信機から火災通報が伝送された旨の表示を迅速に行うことができる防災設備を提供することを目的とする。
【０００７】
【課題を解決するための手段】
本発明は、火災感知器、中継器、発信機或いは被制御機器等の複数の端末装置が受    信部に接続されている防災設備において、受信部は、各端末装置をグループ分けして、
各グループ毎に呼び出してグループ内の端末装置からの所定情報を収集するグループ 情報収集フレームと、発信機からの作動情報を収集する発信機検出フレームとからな るポーリング動作を行うものであり、発信機検出フレームは、複数の発信機が発報し た場合に、１つの発報のみが優先して受信部に送信されるものである。
【０００８】
また、本発明は、火災感知器、中継器、発信機或いは被制御機器等の複数の端末装置が受信部に接続されている防災設備において、発報した発信機を所定の順番で検出する受信部を有する防災設備。
【０００９】
【発明の実施の形態】
図１は、この発明による防災設備の一実施形態の系統図である。
【００１０】
図１において、火災受信機ＲＥに、電源線を兼ねる１対の信号線 lを介して、煙、熱、炎の光、ガスあるいは臭い等の火災現象を検出してその物理量信号を出力するアナログ式火災感知器Ｓ（光電式、減光式、イオン化式等の煙式、熱式、炎式、ガス式、臭い式等の火災感知器）、発信機Ｐ、中継器ＲＰ等の各種端末装置が複数台、例えば２５５台接続されている。なお、上記中継器ＲＰには、所定レベルの火災現象を検出した時に火災信号を出力するオンオフ式火災感知器Ｆ、防火戸Ｄ、地区ベルＢ、ガス漏れ検出器Ｇ等が接続される。ここで、これらの端末装置には、火災受信機ＲＥに近い側から個々の端末装置毎に順次、２桁の１６進数によりアドレスが付与されている。即ち、各端末装置には、火災受信機ＲＥに近い側から、００ｈ，０１ｈ，０２ｈ，・・・，ＦＥｈのようにアドレスが付与されている。尚、１６進数は数字又は文字の後ろにｈを付けて表示するものとする。但し、アドレスは以下説明の便宜上１０進数によっても表示するものとする。
【００１１】
更に、アドレス００ｈ〜ＦＥｈの端末装置は、火災受信機ＲＥに近い側から順に、複数のグループＧ０〜Ｇ１５の１６個のグループに分けられている。
【００１２】
従って、図１に示されるようにグループＧ０〜Ｇ１４には各々１６台の、またグループＧ１５には１５台の上記各種端末装置が属している。
【００１３】
ところで、本実施形態では、２５５台の端末装置の各々には、００ｈ〜ＦＥｈの８ビットからなるそれぞれ異なった固有のアドレスが与えられている。なお、図２（１）（２）にアドレスの一例として１０番と２５５番の端末装置の８ビットで構成されるコードを示している。そして、この端末装置の個々のアドレスは図２に示されるように、上位４ビット（以下、上位桁という）と下位４ビット（以下、下位桁という）に分けられ、上位桁によってグループ番号を、下位桁によってグループ内の端末番号を表わすようにしている。すなわち、アドレスが１０の端末装置の場合は、アドレスコードの上位桁が「００００」の０ｈであるので第０グループを、下位桁が「１００１」のＡｈであるので、そのグループ内の１０番目の端末装置であることを示し、この上位桁と下位桁とを融合した０Ａｈによって全体としてのアドレスが１０番であることを表している。又、アドレスが２５５の端末装置は、上位桁が「１１１１」のＦｈであるので第１５グループを、下位桁が「１１１０」のＥｈであるので、そのグループ内の１５番目の端末装置であることを示し、この上位桁と下位桁とを融合したＦＥｈによって全体としてのアドレスが２５５番であることを表している。
【００１４】
従って、本実施形態では、８ビットのコード全体で全体のアドレスを示し、更に、このアドレスは上位桁によってグループ番号を、下位桁によってグループ内における端末番号（以下グループ内端末番号という）を示すようにしている。
【００１５】
このように複数の端末装置各々に複数の桁数で表示されるアドレスを付与し、アドレス中の特定の桁でグループ番号を表すようにしたので、「ポイント・ポーリング」の「グループ情報収集フレーム」においては、後述するようにアドレスのうち当該特定の桁により示されるグループ番号を共通して有する端末装置をポーリングにより同時に呼び出すことができ、また、その呼び出されたグループ番号が共通で端末番号が異なることを利用して応答タイミングを各端末装置毎に割り当てることができる。
【００１６】
火災受信機ＲＥは、詳細は後述するが、上記各端末装置に対してポイントポーリング、システムポーリング、セレクティングのモードでポーリングを行い、所定の端末装置から所定情報を収集したり、所定端末装置を制御するものである。尚、以下、「ポーリング」とは、ポイントポーリング又はシステムポーリングのことをいい、セレクティングを除くものとする。
【００１７】
「ポイントポーリング」は、図３に示すように、「グループ情報収集フレーム」及び「発信機検出フレーム」とからなる。
【００１８】
「グループ情報収集フレーム」について説明すると、このフレームでは、上記端末装置の１つ１つを順次ポーリングするのではなく、２５５台の端末装置を上記のように１６個のグループにグループ化し、火災受信機ＲＥはその各グループ毎に呼び出しを行う。呼び出されたグループに属する各端末装置は、各端末装置毎に割り当てられた応答タイミング時に状態情報又は種別情報ＩＤ等の要求されたデータを順次火災受信機ＲＥに返送する。ここで、状態情報とは、端末装置がアナログ式火災感知器の場合は、検出した火災現象の物理量データ、中継器ＲＰの場合はオンオフ式火災感知器Ｆやガス漏れ検出器Ｇが接続されている時は火災信号やガス漏れ信号の有無、防火戸Ｄや地区ベルＢ等の被制御機器が接続されている時はこれらの機器の開閉状態や動作中か否かや鳴動中か否かのデータ、発信機の場合は押しボタンスイッチが押されて作動中か否かのデータをいう。
【００１９】
そして、この「グループ情報収集フレーム」において収集される上記所定情報を「グループ情報」という。
【００２０】
「発信機検出フレーム」は、発信機Ｐが人為的に操作させるものであり、その作動情報は信頼性が高いため、すみやかに作動情報を収集するために設けられたフレームである。このため、発信機検出フレームは、図３に示すように、上記「グループ情報収集フレーム」が１つのグループに対して行われた後に、この防災設備に属する全ての発信機に同時に呼び出しを行い、発報中の発信機は、当該呼び出しに対し、指定されたタイムスロットに自分のアドレスを火災受信機ＲＥに対して返送する。以下、この「発信機検出フレーム」において、収集される上記アドレスを「発報発信機アドレス情報」という。さらに、発信機Ｐが複数発報した場合には、本実施形態の場合にはアドレスの小さい発信機が送信を停止し、アドレスが最も大きい１つの発信機のみが返送するようにしている。この詳細については後述する。
【００２１】
「システムポーリング」は、火災受信機ＲＥが端末装置に対し、所定制御命令を送信し、全ての端末装置を制御するものである。ここで、上記システムポーリング時に上記火災受信機ＲＥが複数の端末装置に対して行う制御命令としては、例えば、火災復旧命令（火災信号を送出したアナログ式火災感知器Ｓや中継器ＲＰ等の端末装置、地区ベルＢを鳴動させている中継器ＲＰ等の端末装置等を正常な監視状態に復旧させる命令）、蓄積復旧命令（所定時間、火災状態が継続しているか否かを判別する蓄積動作を行うために、火災信号を送出した火災感知器や中継器等の端末装置を復旧させる命令）、地区音響停止命令（鳴動中の地区ベルＢを停止させる命令）等がある。
【００２２】
また、「セレクティング」は、任意の端末装置に当該アドレスを指定して所定制御命令を送信し、当該端末装置を制御したり、又、任意の端末装置に状態情報又は種別情報ＩＤ等の要求命令を送信し、個々の端末装置から状態情報又は種別情報ＩＤ等を収集するものである。
【００２３】
図３は、本発明の一実施形態を示すタイムチャートである。
【００２４】
この図３の左上から右上に向かって動作が進み、その右端からは、１つ下の段の左端に動作が進み、上記のようにして順次、処理が進む。また、図３中、横線の上が火災受信機ＲＥから送信信号を示し、その横線の下が端末装置からの送信信号を示す。
【００２５】
はじめに、火災受信機ＲＥから端末装置へ送出されるコードＡＤ、ＣＭ１、ＣＭ２、ＰＳ、及び端末装置から火災受信機ＲＥへ送出されるコードＤ１、ＳＳ、ＤＡ、Ｄａの説明をする。
【００２６】
ここで、上記コードＡＤ、ＣＭ１、ＣＭ２、ＰＳ、Ｄ１、ＳＳ、ＤＡ、Ｄａは各々例えばスタートビット、８ビットのデータ領域、エンドビットの計１０ビットで構成される。従って、これらが、伝送上、火災受信機ＲＥから端末装置へ、または、端末装置から火災受信機ＲＥへ送出される場合には１０ビットで表される２進数として上位の桁から順次１ビットづつ送出される。尚、以下においては、説明の便宜上、上記ＡＤ、ＣＭ１、ＣＭ２、ＰＳ、Ｄ１、ＤＡ、Ｄａ、ＳＳの内容を示す８ビットで表示されるデータ領域を２桁の１６進数で表すこととする。
【００２７】
まず、火災受信機ＲＥからは、端末装置に対して、アドレスとしてＡＤ、コマンドとしてＣＭ１、ＣＭ２、一次サムチェックコードとしてＰＳが送出される。ここで、アドレスＡＤは００ｈからＦＦｈまでの２桁の１６進数であり、００ｈからＦＥｈまでの場合（即ちＡＤ≠ＦＦｈの場合）にはセレクティングにおいて動作すべき上記防災設備に設けられた端末装置のアドレスを示し（以下、セレクティングアドレスコードという。）、また、ＦＦｈの場合にはポイントポーリング又はシステムポーリングである旨を示す（以下、ポーリング命令という。）。コマンドＣＭ１も２桁の１６進数であり、セレクティングを行う場合（即ちＡＤ≠ＦＦｈ）にはその内容を示し、例えば、ＣＭ１が８２ｈは火災試験命令、８３ｈは火災感知器の確認灯を消灯させるための確認灯消灯制御命令等についてのセレクティングであることを意味する。
【００２８】
また、ポーリング命令（ＡＤ＝ＦＦｈ）が行われている場合には、コマンドＣＭ１は、行われるべきポーリングの種類を示す。即ち、ＣＭ１が、０Ｘｈの場合にはポイント処理を行う旨、即ち、ポイント処理命令を、ＦＸｈの場合にはシステム処理を行う旨、即ち、システム処理命令を示す。ここでＸは０ｈからＦｈまでの１６進数である。更に、この場合には、そのポーリングの内容を示す。例えば、ＣＭ１が００ｈはポイントポーリングであって、種別情報ＩＤ返送命令を、０１ｈはポイントポーリングであって、状態情報返送命令を、Ｆ０ｈはシステムポーリングであって、火災復旧命令を、Ｆ１ｈの場合はシステムポーリングであって、蓄積復旧命令を、Ｆ２ｈはシステムポーリングであって、地区音響停止命令を、Ｆ３ｈはシステムポーリングであって、非常放送停止命令をそれぞれ示す。
【００２９】
次に、コマンドＣＭ２も２桁の１６進数であり、セレクティング及びシステムポーリングの場合には、使用しない。
【００３０】
また、ポイントポーリングの場合には、コマンドＣＭ２は、下位桁により、当該ポーリングにおいて所定の情報を返送すべきグループを示す（即ち、ポイントポーリングにおけるグループ指定コードである。）。例えば、ＣＭ２は、０Ｘｈで表される。ここで、Ｘは０ｈからＦｈまでの１６進数である。このＸにより所定の情報を返送すべきグループ番号が表される。
【００３１】
さらにまた、一次サムチェックコードＰＳは、火災受信機ＲＥからの伝送が正常に行われたか否かを端末装置が確認するために用いられるコードであり、上記ＡＤ、ＣＭ１、ＣＭ２から所定の演算により得られるが、これについては後に詳述する。
【００３２】
他方、各端末装置からは、ポイントポーリングの場合には状態情報又は種別情報ＩＤとしてＤ１、ニ次サムチェックコードとしてＳＳが火災受信機ＲＥに送出される。また、セレクティングの場合には自己のアドレスＤＡ、返送データとしてＤａ、ニ次サムチェックコードとしてＳＳが火災受信機ＲＥに送出される。尚、システムポーリングの場合には端末装置は何も返送しない。ここで返送データＤａは、端末装置の状態情報、種別情報ＩＤ又は火災復旧命令等の制御命令を受信した場合には制御命令どおりに作動した旨の情報である。
【００３３】
また、ニ次サムチェックコードＳＳは、端末装置からの伝送が正常に行われたか否かを火災受信機ＲＥが確認するために用いられるコードであり、ポイントポーリングの場合は上記ＡＤ、ＣＭ１、ＣＭ２、ＰＳ、Ｄ１から、また、セレクティングの場合は、上記ＡＤ、ＣＭ１、ＣＭ２、ＰＳ、ＤＡ、Ｄａから、所定の演算により得られるが、これについては後に詳述する。
【００３４】
以下、図３に基づき動作の一例を説明する。
【００３５】
図３に示すように、ポイントポーリングは「グループ情報収集フレーム」と「発信機検出フレーム」とからなる。更に、グループ情報収集フレームは受信機が端末装置の呼び出しを行う「受信機フィールド」、受信機と端末装置との間で伝送が行われない「第１ウエイティングフィールドＷＦ１」、呼び出された端末装置が信号伝送を行う「端末装置フィールド」からなり、また、「発信機検出フレーム」は受信機と発信機との間で信号伝送を行う「発信機フィールド」と、受信機と端末装置との間で信号伝送が行われない「第２ウエイティングフィールドＷＦ２」からなる。
【００３６】
まず、図３に示すようにＰ０においてポイントポーリングの１つの動作である「グループ情報収集フレーム」における「受信機フィールド」が開始される。つまり、火災受信機ＲＥは、ＡＤとしてＦＦｈ、ＣＭ１として０１ｈ、ＣＭ２として例えば００ｈ、及び所定のＰＳを送出する。
【００３７】
一方、上記コマンド等を受信した各グループに属する端末装置は、自己のアドレスの下位桁で示されるグループ番号が火災受信機ＲＥから受信したグループ番号と一致した場合に、第１ウエイティングフィールドＷＦ１の終了後、返送データＤ１と二次サムチェックコードＳＳとを火災受信機ＲＥに返送する。
【００３８】
そして、当該各端末装置が要求されたデータを返送する場合には、呼び出しを受けたグループの１６台の各端末装置毎に割り当てられた応答タイミング時に、端末番号が小さい端末装置から順次データを返送する。
【００３９】
他方、火災受信機ＲＥは、上記第１ウェイティングフィールドＷＦ１が経過し、各端末装置からそれぞれ状態情報を受信するための１６個のスロットからなる端末装置フィールドに入り、この端末装置フィールドでは端末番号０〜１５の端末装置は、各端末装置の端末番号に対応したタイムスロット毎に返送データＤ１とニ次サムチェックコードＳＳを順次に送出し、火災受信機ＲＥは各端末装置から送出されたデータを収集する。
【００４０】
この端末フィールドが終了すると、ＣＰにおいてポイントポーリングの１つの動作である「発信機検出フレーム」が開始され、火災受信機ＲＥは発信機Ｐのみを呼び出す発信機呼出パルスＰＣを送出する。ある発信機の押しボタンが操作されて発報状態にある場合には、その受信機が上記発信機呼出パルスを受信した直後に発信機Ｐは自己のアドレスＡＤｐを発信する。ここで、上記発信機呼出パルスＰＣは、発信機からのスタートビットを兼ねているので８ビットで表される発信機Ｐによる上記アドレスＡＤｐの返送タイミングの同期をとることができる。このようにして、火災受信機ＲＥは、発報した発信機のアドレス情報を得ることができる。
【００４１】
この「発信機検出フレーム」において、火災受信機ＲＥは発信機フィールドが終了すると第２ウェイティングフィールドＷＦ２に入り、この第２ウェイティングフィールドＷＦ２が終了すると、グループ番号０のグループを指定して行うポイント・ポーリング（ポイント・ポーリング（Ｇ０））が終了する。
【００４２】
そして、グループを指定するためのコマンドＣＭ２は１インクリメントされ、Ｐ１において、グループ番号１のグループを指定して行う「ポイント・ポーリング」（ポイント・ポーリング（Ｇ１））が開始され、上記動作が再度繰り返される。以下、図示はしなかったが、Ｐ２，Ｐ３，．．．，Ｐ１４において各グループ番号２ｈ，．．．，Ｆｈを指定して「ポイント・ポーリング」が開始され、上記動作が再度繰り返される。
【００４３】
グループ番号Ｆｈを指定した「ポイント・ポーリング」が終了した後は、図示はしなかったが、種別情報ＩＤを収集するポイントポーリングが行われ、火災受信機ＲＥは、ＡＤとしてＦＦｈ、ＣＭ１として００ｈ、ＣＭ２として０１ｈ、及び所定のＰＳを送出し、端末装置フィールドにおいて返送データＤ１として、各端末装置の状態情報の代わりに種別情報ＩＤを各端末装置から送出する。尚、返送データＤ１以外は、上記の状態情報を収集するポイントポーリングとは基本的には同様の動作がグループ番号０ｈのグループを指定して行われる。そして、順次グループ番号０ｈからグループ番号Ｆｈのグループを指定して「ポイント・ポーリング」が行われ、火災受信機ＲＥは各端末装置から種別情報ＩＤを収集する。グループ番号Ｆｈのグループを指定する「ポイント・ポーリング」の終了後、上記のように状態情報を収集する「ポイント・ポーリング」が開始される。
【００４４】
次に、システムポーリングについて説明する。
【００４５】
図３のＰ１６において、例えば、火災復旧を実施するシステムポーリングを行う旨の命令を火災受信機ＲＥの操作部ＯＰからオペレータが火災受信機ＲＥに入力すると、火災受信機ＲＥは、火災復旧を実施するシステムポーリングを示すコマンド等としてポーリング命令（ＡＤ＝ＦＦｈ）と火災復旧命令（ＣＭ１＝Ｆ０ｈ）と一次サムチェックコードＰＳとを順次送出する。
【００４６】
尚、本実施形態では、システムポーリングの場合には、端末装置から火災受信機ＲＥへの返送は行わないようにしているが、命令信号を受信したことを示す応答信号を返送するようにしてもよい。
【００４７】
また、システムポーリングにおいて、蓄積復旧の実施を内容とするもの、地区音響停止の制御を内容とするもの、又は、非常放送停止の制御を内容とするもの等の場合は、火災復旧命令（ＣＭ１＝Ｆ０ｈ）が、各々蓄積復旧命令（ＣＭ１＝Ｆ１ｈ）、地区音響停止命令（ＣＭ１＝Ｆ２ｈ）、非常放送停止命令（ＣＭ１＝Ｆ３ｈ）となる点を除き、上記火災復旧の実施を内容とするシステムポーリングと基本的には同様である。
【００４８】
次に、セレクティングについて説明する。
【００４９】
図３のＰ１７において、例えば、アドレスが１２ｈである端末装置の確認灯の消灯を行うセレクティングを行う旨の命令を火災受信機ＲＥの操作部ＯＰからオペレータが火災受信機ＲＥに入力すると、火災受信機ＲＥは、確認灯の消灯を行うセレクティングを示すコマンド等としてセレクティングを行うべき端末装置のアドレス（ＡＤ＝１２ｈ）と確認灯消灯制御命令（ＣＭ１＝８３ｈ）と一次サムチェックコードＰＳとを順次送出する。
【００５０】
また、この信号を受信したアドレスが１２ｈの端末装置は、自己のアドレスＤＡ、返送データＤａ、ニ次サムチェックコードＳＳとを返送する。このとき、返送データＤａは確認灯が消灯した状態である旨のデータを内容とするものである。
【００５１】
更に、セレクティングで送出される命令としては上記確認灯消灯制御命令（ＣＭ１＝８３ｈ）以外に、火災試験命令（ＣＭ１＝８２ｈ）、確認灯点灯制御命令（ＣＭ１＝８４ｈ）、ＣＬ間制御命令（ＣＭ１＝８５ｈ）、防排煙中継器の起動復帰命令（ＣＭ１＝８６ｈ）、連動鳴動制御命令（ＣＭ１＝８７ｈ）、手動鳴動制御命令（ＣＭ１＝８８ｈ）、ＳＣＩ切離制御命令（ＣＭ１＝８９ｈ）、火災復旧命令（ＣＭ１＝Ｆ０ｈ）、蓄積復旧命令（ＣＭ１＝Ｆ１ｈ）地区音響停止命令（ＣＭ１＝Ｆ２ｈ）、非常放送停止命令（ＣＭ１＝Ｆ３ｈ）、種別情報ＩＤ返送命令（ＣＭ１＝００ｈ）、状態情報返送命令（ＣＭ１＝０１ｈ）等があり、命令内容が異なる点を除き、上記確認灯の消灯を内容とするセレクティングと基本的には同様である。
【００５２】
次に、「ポイント・ポーリング」の「発信機検出フレーム」において、複数の発信機が発報している場合について図４を用いて説明する。
【００５３】
図４は、３台の発信機が動作した場合のタイムチャートを示す。
【００５４】
この図４において、最上段には、火災受信機ＲＥからのタイミングＣＰで出力される発信機呼出パルスＰＣ、２〜４段には、発報した各発信機Ａ、Ｂ、Ｃから送出されたアドレス信号が示されている。尚、図４の説明では、説明の便宜上各アドレスは１６進数でなく１０進数で表すものとする。ここで発信機Ａのアドレスは１８１（１０進数、尚、これを８ビットで表される２進数として表すと１０１１０１０１）、発信機Ｂのアドレスは９６（１０進数、尚これを８ビットで表される２進数として表すと０１１０００００）、発信機Ｃのアドレスは２０４（１０進数、尚これを８ビットで表される２進数として表すと１１００１１００）とする。各発信機Ａ、Ｂ、Ｃは、火災受信機ＲＥからタイミングＣＰで発信機呼出パルスＰＣを受信すると、発信機呼出パルスＰＣに続いて自己のアドレスを最上位のビットから１ビットづつ送出を開始する。ここで、発信機Ｂのアドレスは０１１０００００（２進数）であるので、最上位のビットは０である。他方、発信機Ａのアドレスは１０１１０１０１（２進数）、発信機Ｃのアドレスは１１００１１００（２進数）であるので最上位のビットはそれぞれ１である。
【００５５】
従って、発信機Ｂは、０すなわち非アクティブレベルを送出しており、一方、信号線の状態が１を示すアクティブレベルの場合であるので、当該発信機Ｂは、自己のアドレスより大きいアドレスの発信機が信号送出中と判断し、自己のアドレスの発信を中断する。次に、アドレス発信中の発信機Ａ、発信機Ｃについて、各アドレスの次位（次の下位）のビットについて比較する。すると、発信機Ａについてはビットが０、発信機Ｃについてはビットが１である。従って、発信機Ａは、非アクティブレベルを送出しており、一方、信号線の状態がアクティブレベルの場合であるので、当該発信機Ａは、自己のアドレスより大きいアドレスの発信機が信号送出中と判断して自己のアドレスの発信を中断する。以上の動作の結果、最終的に自己のアドレスを送出する発信機は動作した発信機のうちアドレスが最大の発信機Ｃのみの１つになる。そして、図４の最下段に示すように伝送上の信号は火災受信機ＲＥからの発信機呼出パルスをスタートビットとして、発信機Ｃのアドレスが８ビットで送出されることとなる。
【００５６】
図５は、上記実施形態における火災受信機ＲＥの一例を示すブロック図である。
【００５７】
火災受信機ＲＥは、マイクロプロセッサＭＰＵ１と、ＲＯＭ（Read Only Memory）１１〜１３と、ＲＡＭ（Random Access Memory）１１〜１９と、ＩＦ１１〜１３と、信号送受信部ＴＲＸ１と、操作部ＯＰと、表示部ＤＰと、タイマＴｓｌｔとを有する。ＲＯＭ１１は、図９〜図１５に示すフローチャートに関するプログラム等の記憶領域である。ＲＯＭ１２は、各端末装置のアドレスすなわちグループ番号と端末番号、並びに種別情報ＩＤの端末マップテーブル用記憶領域である。ＲＯＭ１３は、火災地区と制御すべき防火戸等の被制御機器との連動制御関係を示す連動制御テーブル用記憶領域である。ＲＡＭ１１は、作業用領域である。ＲＡＭ１２は、ポイントポーリングのグループ情報収集フレームにおいて端末装置から返送された返送データＤ１、二次サムチェックコードＳＳの記憶領域で、返送データＤ１を格納するＲＡＭ１２１と二次サムチェックコードＳＳを格納するＲＡＭ１２２とから成る。ＲＡＭ１３は、各種端末装置のアドレス及び種別情報ＩＤの記憶領域である。尚、初期設定時には、ＲＯＭ１２に記憶されている各端末装置のアドレス及び種別情報ＩＤがＲＡＭ１３にロードされ、それ以降、端末装置の付け替え等により、これらのアドレス及び種別情報ＩＤに変更が必要な場合には、操作部ＯＰを操作することにより、これらを変更することができる。尚、ポイントポーリングのグループ情報収集フレームにおいて種別情報ＩＤが返送された場合には、先にＲＡＭ１３に記憶されている種別情報ＩＤはこの返送された種別情報ＩＤに更新される。ＲＡＭ１４は、上記グループ情報収集フレームにおいて端末装置に送信すべきアドレスＡＤ、コマンドＣＭ１、コマンドＣＭ２、一次サムチェックコードＰＳを記憶する記憶領域である。尚、ＲＡＭ１４は、アドレスＡＤを格納するＲＡＭ１４１、コマンドＣＭ１を格納するＲＡＭ１４２、コマンドＣＭ２を格納するＲＡＭ１４３、一次サムチェックコードＰＳを格納するＲＡＭ１４４とから成る。ＲＡＭ１５は、ポイントポーリングの発信機検出フレームにおいて返送された発信機のアドレスの記憶領域である。ＲＡＭ１６は、アドレスがｘの端末装置について伝送異常が検出された回数を示す変数をｆｘ（以下、伝送異常検出変数という）をアドレス毎に記憶する。尚、ここで、伝送異常検出変数ｆｘは１０進法で示される。ＲＡＭ１７は、システムポーリングにおいて端末装置に送信すべきアドレスＡＤ、コマンドＣＭ１、一次サムチェックコードＰＳを記憶する記憶領域である。尚、ＲＡＭ１７は、アドレスＡＤを格納するＲＡＭ１７１、コマンドＣＭ１を格納するＲＡＭ１７２、コマンドＣＭ２を格納するＲＡＭ１７３とから成る。ＲＡＭ１８は、セレクティングにおいて端末装置に送信すべきアドレスＡＤ、コマンドＣＭ１、一次サムチェックコードＰＳを記憶する記憶領域である。尚、ＲＡＭ１８は、アドレスＡＤを格納するＲＡＭ１８１、コマンドＣＭ１を格納するＲＡＭ１８２、一次サムチェックコードＰＳを格納するＲＡＭ１８３とから成る。ＲＡＭ１９は、セレクティングにおいて端末装置から返送された端末装置の自己アドレスＤＡ、返送データＤａ、ニ次サムチェックコードＳＳの記憶領域である。尚、ＲＡＭ１９は端末装置の自己アドレスＤＡを格納するＲＡＭ１９１と返送データＤａを格納するＲＡＭ１９２とニ次サムチェックコードＳＳを格納するＲＡＭ１９３とから成る。タイマＴｓｌｔは、状態情報を受信するためのスロット及び発信機スロットの開始時間と終了時間を管理するタイマである。ＩＦ１１は、操作部ＯＰとマイクロプロセッサＭＰＵ１とを接続するインターフェースである。ＩＦ１２は、表示部ＤＰとマイクロプロセッサＭＰＵ１とを接続するインターフェースである。ＩＦ１３は、信号送受信部ＴＲＸ１とマイクロプロセッサＭＰＵ１とを接続するインターフェースである。信号送受信部ＴＲＸ１は、並直列変換器、送信回路、受信回路、直並列変換器等で構成されている。ＯＰは、操作部であり、各種スイッチ、テンキー等が設けられている。ＤＰは、表示部であり、各種表示灯、ＣＲＴ等が設けられている。
図６は、上記実施形態における端末装置の一例としてのアナログ式光電式火災感知器Ｓを示すブロック図である。
【００５８】
アナログ式光電式火災感知器Ｓは、マイクロプロセッサＭＰＵ２と、ＲＯＭ２１、ＲＯＭ２２と、ＲＡＭ２１〜２８と、ＩＦ２１〜２６と、信号送受信部ＴＲＸ２と、煙検出用発光素子の一例としての発光ダイオードＬＤと、受光素子の一例としてのホトダイオードＰＤと、所定の時間間隔でパルスを発生させ発光、受光等のセンサ処理即ち煙検出動作を前記発光ダイオードＬＤ及び前記ホトダイオードＰＤを駆動させることにより行うクロック発生源ＣＬＫと、動作確認灯としての発光ダイオードＬＥＤと、タイマＴｄと、発光ダイオードＬＤを所定の発光量で発光させる発光回路ＬＤＣと、増幅回路やサンプルホールド回路を有する受光回路ＰＤＣと、動作確認灯ＬＥＤの消灯及び点灯を制御する発光回路ＬＥＤＣと、受光部の感度を所定値まで上昇させ火災試験を実施するための火災試験回路ＴＥとを有する。ＲＯＭ２１は、ポイント処理、システム処理、セレクティング処理等の動作に関するプログラム等の記憶領域である。ＲＯＭ２２は、すなわち自己の属するグループ番号と上位桁がグループ番号として、下位桁が端末番号としても使用される自己アドレス及び種別情報ＩＤの記憶領域である。尚、ＲＯＭ２２の代わりにディップスィッチ等を使用してもよい。ＲＡＭ２１は、作業用領域である。ＲＡＭ２２は、現在の煙の物理量の情報を記憶する領域である。ＲＡＭ２３は、グループ内端末番号ｍ自己の状態情報を火災受信機ＲＥに返送するタイミング即ち自己に割り当てられたスロットの記憶領域である。尚、当該返送タイミングは、初期設定時の直後に自己のアドレスの下位桁で示されるグループ内端末番号ｍから算出され、以下、情報返送開始時刻Ｔｄｍで示される。
【００５９】
ＲＡＭ２４は、ポイントポーリングのグループ情報収集フレームにおいて火災受信機ＲＥから受信したアドレスＡＤ、コマンドＣＭ１、コマンドＣＭ２、一次サムチェックコードＰＳを記憶する領域である。尚、ＲＡＭ２４は、アドレスＡＤを格納するＲＡＭ２４１、コマンドＣＭ１を格納するＲＡＭ２４２、コマンドＣＭ２を格納するＲＡＭ２４３、一次サムチェックコードＰＳを格納するＲＡＭ２４４とから成る。
【００６０】
ＲＡＭ２５は、ポイントポーリングのグループ情報収集フレームにおいて火災受信機ＲＥへ送出する返送データＤ１と二次サムチェックコードＳＳとを記憶する領域である。尚、ＲＡＭ２５は、返送データＤ１を格納するＲＡＭ２５１と二次サムチェックコードＳＳを格納するＲＡＭ２５２とからなる。
【００６１】
ＲＡＭ２６は、システムポーリングにおけるアドレスＡＤ、コマンドＣＭ１、一次サムチェックコードＰＳを記憶する記憶領域である。尚、ＲＡＭ２６は、アドレスＡＤを格納するＲＡＭ２６１、コマンドＣＭ１を格納するＲＡＭ２６２、一次サムチェックコードＰＳを格納するＲＡＭ２６３とから成る。
【００６２】
ＲＡＭ２７は、セレクティングにおけるアドレスＡＤ、コマンドＣＭ１、一次サムチェックコードＰＳを記憶する記憶領域である。尚、ＲＡＭ２７は、アドレスＡＤを格納するＲＡＭ２７１、コマンドＣＭ１を格納するＲＡＭ２７２、一次サムチェックコードＰＳを格納するＲＡＭ２７３とから成る。
【００６３】
ＲＡＭ２８は、セレクティングにおいて返送される当該火災感知器Ｓの自己アドレスＤＡ、返送データＤａ、二次サムチェックコードＳＳの記憶領域である。尚、ＲＡＭ２８は自己アドレスＤＡを格納するＲＡＭ２８１と返送データＤａを格納するＲＡＭ２８２と二次サムチェックコードＳＳを格納するＲＡＭ２８３とから成る。
【００６４】
ＩＦ２１は、クロックＣＬＫとマイクロプロセッサＭＰＵ２とを接続するインターフェースである。ＩＦ２２は、火災試験回路ＴＥとマイクロプロセッサＭＰＵ２とを接続するインターフェースである。ＩＦ２３は、信号送受信部ＴＲＸ２とマイクロプロセッサＭＰＵ２とを接続するインターフェースである。ＩＦ２４は、受光回路ＰＤＣとマイクロプロセッサＭＰＵ２とを接続するインターフェースである。ＩＦ２５は、発光回路ＬＥＤＣとマイクロプロセッサＭＰＵ２とを接続するインターフェースである。ＩＦ２６は、煙検出用の発光回路ＬＤＣとマイクロプロセッサＭＰＵ２とを接続するインターフェースである。Ｔｄは、データ返送開始時間等を管理する返送タイミング管理タイマである。信号送受信部ＴＲＸ２は、信号送受信部ＴＲＸ１と同様のものである。
【００６５】
尚、図示しなかったが、アナログ式火災感知器Ｓは、本実施形態に示した光電式に限定されず、熱式、炎式、ガス式、臭い式等であってもよい。この場合には、煙検出用の発光ダイオードＬＤとその発光回路ＬＤＣ、ホトダイオードＰＤとその受光回路ＰＤＣの代わりに、熱式のアナログ式火災感知器の場合は、感熱手段としてのサーミスタ及びその検出回路が設けられ、炎式のアナログ式火災感知器の場合は、焦電素子あるいは紫外線検出素子等の受光素子及びその検出回路が設けられ、ガス式のアナログ式火災感知器の場合は、ガスセンサ及びその検出回路が設けられ、臭い式の場合には、ニオイセンサ及びその検出回路が設けられる点を除いては、基本的構造は同じである。
【００６６】
図７は、上記実施形態における端末装置の一例としての中継器ＲＰを示すブロック図である。
【００６７】
中継器ＲＰは、マイクロプロセッサＭＰＵ３と、ＲＯＭ３１、ＲＯＭ３２と、ＲＡＭ３１〜３８と、ＩＦ３１〜３８と、データ返送開始時刻等を管理する返送タイミング管理タイマであるタイマＴｄと、当該中継器ＲＰに接続されているオンオフ式火災感知器から火災信号を受信する火災信号受信回路ＦＳＲと、中継器に接続された当該オンオフ式火災感知器の受光部の感度を所定値まで上昇させ火災試験を実施するための火災試験回路ＴＥと、図示しない地区ベルを制御する地区音響制御回路ＬＡＣと、火災受信機ＲＥと中継器ＲＰ間の電源のオン・オフを制御するＣＬ間制御回路ＣＬＲと、図示しない防火戸Ｄの開閉を制御する防排煙制御回路ＢＨＲと、中継器ＲＰと信号線 l末端の電源のオン・オフを制御するＳＣＩ切断制御回路ＳＣＲと、図示しないスピーカからの警報発生を制御する放送制御回路ＢＡＣと信号送受信部ＴＲＸ３とを有する。ＲＯＭ３１は、図１０〜１２に示すフローチャートに関するプログラム等の記憶領域である。ＲＯＭ３２は上位桁がグループ番号として、下位桁が端末番号としても使用される自己アドレス及び種別情報ＩＤ等の記憶領域である。尚、ＲＯＭ３２の代わりにディップスイッチ等を使用してもよい。ＲＡＭ３１は、作業用領域である。ＲＡＭ３２は、現在の状態情報即ち、オンオフ式火災感知器Ｆが火災であるとの信号を送出しているか否か等の記憶領域である。ＲＡＭ３３は、グループ内端末番号ｍである自己の状態情報を火災受信機ＲＥに返送するタイミング即ち自己に割り当てられたスロットの記憶領域である。このタイミングとは、以下、情報返送開始時刻Ｔｄｍで示される。尚、当該返送タイミングは、後述するように初期設定時（図１６のＵ１）の直後に自己のアドレスの下位桁で示される端末番号から算出される（図１６のＵ２）。ＲＡＭ３４は、ポイントポーリングのグループ情報収集フレームにおいて火災受信機ＲＥから受信したアドレスＡＤ、コマンドＣＭ１、コマンドＣＭ２、一次サムチェックコードＰＳを記憶する領域で、ＡＤを格納するＲＡＭ３４１、ＣＭ１を格納するＲＡＭ３４２、ＣＭ２を格納するＲＡＭ３４３、ＰＳを格納するＲＡＭ３４４からなる。ＲＡＭ３５は、ポイントポーリングのグループ情報収集フレームにおいて火災受信機ＲＥへ送出する返送データＤ１と二次サムチェックコードＳＳとを記憶する領域で、Ｄ１を格納するＲＡＭ３５１とＳＳを格納するＲＡＭ３５２とからなる。ＲＡＭ３６は、システムポーリングにおけるアドレスＡＤ、コマンドＣＭ１、一次サムチェックコードＰＳを記憶する記憶領域でＡＤを格納するＲＡＭ３６１、ＣＭ１を格納するＲＡＭ３６２、ＰＳを格納するＲＡＭ３６３とから成る。ＲＡＭ３７は、セレクティングにおけるアドレスＡＤ、コマンドＣＭ１、一次サムチェックコードＰＳを記憶する記憶領域で、アドレスＡＤを格納するＲＡＭ３７１、ＣＭ１を格納するＲＡＭ３７２、ＰＳを格納するＲＡＭ３７３とから成る。ＲＡＭ３８は、セレクティングにおいて返送される端末装置の自己アドレスＤＡ、返送データＤａ、ニ次サムチェックコードＳＳの記憶領域で、アドレスＤＡを格納するＲＡＭ３８１とＤａを格納するＲＡＭ３８２とＳＳを格納するＲＡＭ３８３とから成る。ＩＦ３１は火災信号���信回路ＦＳＲとマイクロプロセッサＭＰＵ３とを接続するインターフェースである。ＩＦ３２は火災試験回路ＴＥとマイクロプロセッサＭＰＵ３とを接続するインターフェースである。ＩＦ３３は地区音響制御回路ＬＡＣとマイクロプロセッサＭＰＵ３とを接続するインターフェースである。ＩＦ３４はＣＬ間制御回路ＣＬＲとマイクロプロセッサＭＰＵ３とを接続するインターフェースである。ＩＦ３５は、防排煙制御回路ＢＨＲとマイクロプロセッサＭＰＵ３とを接続するインターフェースである。ＩＦ３６はＳＣＩ切断制御回路ＳＣＲとマイクロプロセッサＭＰＵ３とを接続するインターフェースである。ＩＦ３７は放送制御回路ＢＡＣとマイクロプロセッサＭＰＵ３とを接続するインターフェースである。ＩＦ３８は、信号送受信部ＴＲＸ３とマイクロプロセッサＭＰＵ３とを接続するインターフェースである。尚、信号送受信部ＴＲＸ３は、信号送受信部ＴＲＸ１と同様のものである。ここで、上記実施形態においては１つの中継器にオンオフ式火災感知器、地区ベル、防火戸、スピーカが接続されているようにしたが、それらの少なくとも１つの機器が中継器に接続されるように構成してもよい。
【００６８】
図８は、上記実施形態における発信機Ｐを示すブロック図である。
【００６９】
発信機Ｐは、マイクロプロセッサＭＰＵ４と、ＲＯＭ４１、ＲＯＭ４２と、ＲＡＭ４１〜４９と、ＩＦ４１〜４３と、信号送受信部ＴＲＸ４と、火災時に操作されるべき押しボタン式等のスイッチＳＷ、応答ランプとしての発光ダイオードＬＥＤ、応答ランプＬＥＤを発光させる発光回路ＬＥＤＣ、ビットタイマＴｂとを有する。ＲＯＭ４１は、図１８及び図１９に示すフローチャートに関するプログラム等の記憶領域である。ＲＯＭ４２は、上位桁がグループ番号として、下位桁が端末番号としても使用される自己アドレスの記憶領域である。尚、ＲＯＭ４２の代わりにディップスイッチ等を使用してもよい。ＲＡＭ４１は、作業用領域である。ＲＡＭ４２は、現在の作動情報を記憶する領域である。ＲＡＭ４３は、図１８及び図１９に示す動作において自己の作動情報を火災受信機ＲＥに返送するタイミングを記憶する領域である。尚、当該タイミングは、アナログ式光電式火災感知器Ｓの場合と同様に初期設定時の直後に自己のアドレスの下位桁で示されるグループ内端末番号ｍから算出される。ＲＡＭ４４は、発信機が作動即ち発報している場合に図１８及び図１９において送出する自己のアドレス設定を記憶する領域である。ＲＡＭ４５は、ポイントポーリングのグループ情報収集フレームにおいて火災受信機ＲＥから受信したアドレスＡＤ、コマンドＣＭ１、コマンドＣＭ２、一次サムチェックコードＰＳを記憶する領域で、ＡＤを格納するＲＡＭ４５１、ＣＭ１を格納するＲＡＭ４５２、ＣＭ２を格納するＲＡＭ４５３、ＰＳを格納するＲＡＭ４５４とからなる。ＲＡＭ４６は、ポイントポーリングのグループ情報収集フレームにおいて火災受信機ＲＥへ送出する返送データＤ１とニ次サムチェックコードＳＳを記憶する領域で、Ｄ１を格納するＲＡＭ４６１とＳＳを格納するＲＡＭ４６２とからなる。ＲＡＭ４７は、システムポーリングにおいて火災受信機ＲＥから受信したアドレスＡＤ、コマンドＣＭ１、一次サムチェックコードＰＳを記憶する領域で、ＡＤを格納するＲＡＭ４７１、ＣＭ１を格納するＲＡＭ４７２、ＰＳを格納するＲＡＭ４７３とからなる。ＲＡＭ４８は、セレクティングにおいて、火災受信機ＲＥから受信したアドレスＡＤ、コマンドＣＭ１、一次サムチェックコードＰＳを記憶する領域で、ＡＤを格納するＲＡＭ４８１、ＣＭ１を格納するＲＡＭ４８２、ＰＳを格納するＲＡＭ４８３とからなる。ＲＡＭ４９は、セレクティングにおいて、火災受信機ＲＥへ送出する自己のアドレスＤＡ、返送データＤａ、二次サムチェックコードＳＳを記憶する領域で、ＤＡを格納するＲＡＭ４９１とＤａを格納するＲＡＭ４９２とＳＳを格納するＲＡＭ４９３とからなる。ＩＦ４１は、信号送受信部ＴＲＸ４とマイクロプロセッサＭＰＵ４とを接続するインターフェースである。ＩＦ４２は、押しボタン式等のスイッチＳＷとマイクロプロセッサＭＰＵ４とを接続するインターフェースである。ＩＦ４３は、応答ランプとしての発光回路ＬＥＤＣとマイクロプロセッサＭＰＵ４とを接続するインターフェースである。信号送受信部ＴＲＸ４は、信号送受信部ＴＲＸ１と同様のものである。また、ビットタイマＴｂは、後述の発信機呼出パルスとアドレス送信信号及びアドレス送信信号どうしが重複するのを防止するための管理タイマである。
【００７０】
図９は、上記実施形態における火災受信機ＲＥのシステムフローチャートを示す図である。まず、本火災報知設備の電源投入による立ち上げが行われた後、初期設定を行い（Ｓ１）、例えば全てのアドレスについての伝送異常検出変数ｆｘを０に設定する。そして、確認灯の消灯等のセレクティング命令が火災受信機ＲＥの操作部ＯＰからオペレータにより入力されているか否かを判別し（Ｓ２）、当該命令が入力されていないと判別した場合には（Ｓ２のＮ）、システムポーリング命令が火災受信機ＲＥの操作部ＯＰからオペレータにより入力されているか否かを判別し（Ｓ３）、当該命令が入力されていないと判別した場合には（Ｓ３のＮ）、ポイントポーリングを行い（Ｓ４）、再びＳ２に戻り上記動作を繰り返す。尚、Ｓ２において、確認灯の消灯等のセレクティング命令が火災受信機ＲＥの操作部ＯＰからオペレータにより入力されていると判別した場合には、セレクティングを行う（Ｓ６）。また、Ｓ３において、システムポーリング命令が火災受信機ＲＥの操作部ＯＰからオペレータにより入力されていると判別した場合には（Ｓ３のＹ）、システムポーリングを行う（Ｓ５）。従って、操作部ＯＰからオペレータによる入力がない場合にはＳ４のポイントポーリングが行われる。  尚、上記各ポーリング及びセレクティングの詳細内容については、火災受信機ＲＥの操作部ＯＰからオペレータにより入力され、その入力に基づきＡＤ、ＣＭ１、ＣＭ２、ＰＳの内容が定まり、各種のポーリング及びセレクティングが行われる。
【００７１】
図１０〜図１２は、図９におけるポイントポーリング（Ｓ４）を具体的に示すフローチャートである。
【００７２】
ここで、先述の「グループ情報収集フレーム」は、Ｓ４０１〜Ｓ４３１に、「発信機検出フレーム」は、Ｓ４３２〜Ｓ４３８に相当する。
【００７３】
まず、ポーリング命令（ＡＤ＝ＦＦｈ）、ポイントポーリングにおける状態情報返送命令（ＣＭ１＝０１ｈ）とポイントポーリングにおけるグループ指定コード（例えばＣＭ２＝００ｈ）の各々をＲＡＭ１４１、ＲＡＭ１４２、ＲＡＭ１４３に格納する（Ｓ４０１〜Ｓ４０３）。
【００７４】
次に、ＲＡＭ１４１のＡＤ、ＲＡＭ１４２のＣＭ１、ＲＡＭ１４３のＣＭ２の伝送バイトの各アクティブビット数をカウントし（Ｓ４０４）、各カウント値を得、このカウント値を加算することにより加算値を得る（Ｓ４０５）。次に、当該加算値を反転させ反転値を得る（Ｓ４０６）。この反転値の最上位ビットを削除して、一次サムチェックコードＰＳを得る（Ｓ４０７）。この一次サムチェックコードＰＳをＲＡＭ１４４に格納する（Ｓ４０８）。そして、ＲＡＭ１４１〜ＲＡＭ１４４に格納されているアドレスＡＤ、コマンドＣＭ１、コマンドＣＭ２、一次サムチェックコードＰＳを信号送受信部ＴＲＸ１から順次、送出する（Ｓ４０９）。次に、管理タイマＴｓｌｔをスタートさせ（Ｓ４１０）、また、ｍを０にリセットする（Ｓ４１１）。ここで、ｍは、グループ内端末番号を示す１６進数である。尚、タイマＴｓｌｔがすでに起動している場合にはクリアーして再スタートさせるリセットを行う（Ｓ４１１）。次に、当該管理タイマＴｓｌｔが、グループ内端末番号がｍの端末装置から返送される返送データＤ１、一次サムチェックコードＳＳを受信するためのスロットの開始時刻Ｔｓｍとなっているか否かを判別する（Ｓ４１２）。尚、ここで、スロットの開始時刻Ｔｓｍの小文字ｍはグループ内端末番号を示す。当該管理タイマＴｓｌｔが、上記スロットの開始時刻Ｔｓｍとなっていると判別した場合に（Ｓ４１２のＹ）、受信イネーブル状態即ち、受信可能状態となる（Ｓ４１３）。一方、当該管理タイマＴｓｌｔが、上記スロット開始時刻Ｔｓｍに満たないと判別した場合には、当該管理タイマＴｓｌｔが、上記スロット開始時刻Ｔｓｍとなるまで待つ（Ｓ４１２のＮ）。また、当該管理タイマＴｓｌｔが、上記スロット開始時刻Ｔｓｍとなるまでは、火災受信機ＲＥは端末装置に対して何も行わない第１ウエイティングフィールドＷＦ１となる。受信イネーブル状態となり、第１所定時間Ｔ１内に端末装置から返送データＤ１を受信したら（Ｓ４１４のＹ、Ｓ４３９のＹ）、当該データＤ１をＲＡＭ１２１に格納する（Ｓ４１５）。ここにいう第１所定時間Ｔ１とは、上記スロット開始時刻Ｔｓｍから、当該端末装置のグループ内端末番号より１つ大きいグループ内端末番号即ちｍ＋１を有する端末装置のスロット開始時刻Ｔｓｍ＋１までの時間をいう。当該第１所定時間Ｔ１を越えたか否かの判別は、上記管理タイマＴｓｌｔが行う（Ｓ４３７）。次に、第２所定時間Ｔ２内に端末装置から二次サムチェックコードＳＳを受信したら（Ｓ４１６のＹ、Ｓ４４０のＹ）、ＳＳをＲＡＭ１２２に格納する（Ｓ４１７）。ここにいう第２所定時間Ｔ２とは、上記スロット開始時刻Ｔｓｍから、グループ内端末番号ｍのためのスロットの終了時刻Ｔｅｍまでの時間をいう。当該第２所定時間Ｔ２を越えたか否かの判別も、当該管理タイマＴｓｌｔが行う（Ｓ４３８）。更に次に、当該端末装置から火災受信機ＲＥへの伝送が正常に行われたか否かを判断するために、ＲＡＭ１２２に格納された二次サムチェックコードＳＳに基づきサムチェックを行う。
【００７５】
即ち、ＲＡＭ１４１〜ＲＡＭ１４４及びＲＡＭ１２１に各々格納されているアドレスＡＤ、コマンドＣＭ１、コマンドＣＭ２、一次サムチェックコードＰＳ、返送データＤ１を読出し（Ｓ４１８〜Ｓ４２２）、ＡＤ、ＣＭ１、ＣＭ２、一次サムチェックコードＰＳ、Ｄ１の伝送バイトの各アクティブビット数をカウントし（Ｓ４２３）、このカウント値を加算することにより加算値を得る（Ｓ４２４）。次に、当該加算値を反転させ反転値を得る（Ｓ４２５）。この反転値の最上位ビットを削除して（Ｓ４２６）、その演算結果即ち二次演算コードＳＣ１を得る。この二次演算コードＳＣ１がＲＡＭ１２２に格納されている二次サムチェックコードＳＳと一致するか否かを判断する（Ｓ４２７）。サムチェックの結果が、一致すれば（Ｓ４２７のＹ）、伝送が正常に行われたので、Ｓ４２８に進み、ポイントポーリングが１回目の場合には、伝送異常検出変数ｆｘが０であるので、そのまま受信を禁止し（Ｓ４２８のＹ、Ｓ４２９）、ここで、グループ内端末番号ｍを有する端末装置からのデータの読み込みは終了する。従って、この時点で受信途中のデータは、破棄される。そして次に、ｍを１インクリメントし（Ｓ４３０）、再度上記Ｓ４１２〜Ｓ４２９を繰り返し、グループ内端末番号ｍ＋１の端末装置からの返送データＤ１及びニ次サムチェックコードＳＣ１を収集する。そして、上記Ｓ４１２〜Ｓ４３１をｍの値が１０ｈになるまで繰り返し、ｍが１０ｈを越えたら（Ｓ４３１のＮ）、Ｓ４３２に進む。即ち、ｍが１０ｈを越えたと判別した場合には、グループ内の１６台の全ての端末装置からの返送データＤ１、二次サムチェックコードＳＳの収集が終了したので、Ｓ４３２に進む。
【００７６】
このようにして、１つのグループに属する各端末装置からの返送データＤ１が、グループ情報として、各端末装置について用意されたスロットで順次返送され、火災受信機ＲＥに収集される。
【００７７】
尚、上記Ｓ４３９において、上記所定時刻Ｔｓｍ＋１内にアドレスがｘ番の端末装置から返送データＤ１を受信しない場合（Ｓ４３９のＮ）には、当該ｘ番の端末装置に対する無応答処理を行う（Ｓ４４１）。ここにいう無応答処理とは、当該アドレスがｘの端末装置について伝送異常検出変数ｆｘを１インクリメントすることをいい、伝送異常検出変数ｆｘが、例えば、３となった場合には、火災受信機ＲＥの表示部ＤＰに異常表示（伝送異常であるとの表示）を行うことをいう。ここで、伝送異常検出回数を示す変数ｆｘは、アドレス別にＲＡＭ１６に格納される。
【００７８】
また、上記Ｓ４４０において、所定時刻Ｔｅｍ内に上記ｘ番の端末装置から二次サムチェックコードＳＳを受信しない場合にも、Ｓ４４１に進み（Ｓ４４０のＮ）、上記伝送異常検出変数ｆｘが１インクリメントされ、伝送異常検出変数ｆｘが３となった場合には、火災受信機ＲＥの表示部ＤＰに異常表示（伝送異常であるとの表示）が行われる。尚、上記と同様に伝送異常検出変数ｆｘはアドレス別にＲＡＭ１６に格納される。さらに、上記Ｓ４２７において、上記二次演算コードＳＣ１がニ次サムチェックコードＳＳと一致しない場合即ち、サムチェックの結果が不一致である場合には（Ｓ４２７のＮ）、誤応答処理がなされる（Ｓ４４２）。ここにいう誤応答処理も、上記無応答処理の場合と同様に伝送異常検出変数ｆｘが１インクリメントされ、伝送異常検出変数ｆｘが３となった場合には、火災受信機ＲＥの表示部ＤＰに異常表示（伝送異常であるとの表示）が行われる。尚、ｆｘはアドレス別にＲＡＭ１６に格納される。
【００７９】
また、Ｓ４２８において、ポイントポーリングが２回目以降の場合に、伝送異常検出変数ｆｘが０か否か、即ち、前回までのデータ受信中の端末装置が前回までのポイントポーリングにおいて、無応答処理又は誤応答処理がなされたか否か、即ち、ＲＡＭ１６にアドレス別に記憶されているｆｘが０であるか否かを判別する。前回において、かかる異常が検出されていない場合即ちｆｘが０であると判別される場合には（Ｓ４２８のＹ）、受信禁止状態となる（Ｓ４２９）。一方、かかる異常が検出されている場合即ちｆｘが０でないと判別される場合には（Ｓ４２４のＮ）、当該変数ｆｘを０にリセットする（Ｓ４４３）。従って、無応答処理や誤応答処理といった伝送異常検出が連続して３回行われなければ、異常表示（伝送異常であるとの表示）がされない。尚、ここでも上記と同様に当該０となった伝送異常検出変数ｆｘはアドレス別にＲＡＭ１６に格納される。
【００８０】
これにより、ポイントポーリングを実行中に無応答処理や誤応答処理といった伝送異常が発生しても、ポイントポーリングを中断することなく続けることができる。
【００８１】
以下、「発信機検出フレーム」の動作、即ちＳ４３２〜Ｓ４３８の動作について説明する。
【００８２】
次に、マイクロプロセッサＭＰＵ１は、即ち上記管理タイマＴｓｌｔが発信機スロット開始時刻Ｔｐになっているか否かを判別する（Ｓ４３２）。当該管理タイマＴｓｌｔが、発信機スロット開始時刻Ｔｐとなっていると判別した場合（Ｓ４３２のＹ）には、「発信機検出フレーム」を開始し、受信イネーブル状態即ち、受信可能状態とした（Ｓ４３３）後、発信機呼出パルスＰＣを信号送受信部ＴＲＸ１から送出する（Ｓ４３４）。尚、この発信機呼出パルスＰＣは、発信機からの返送信号のスタートビットをも兼ねている。更に、この発信機呼出パルスＰＣは当該グループ内の発信機だけでなく、全てのグループに属する発信機に対する呼び出しパルスである。このため、全グループに属する発報中の発信機ＰのアドレスＡＤｐを火災受信機ＲＥは収集できる。次に、第３所定時間Ｔ３内に発報中の発信機Ｐから当該発信機ＰのアドレスＡＤｐを受信した場合には（Ｓ４３５のＹ、Ｓ４４４のＹ）、ＲＡＭ１５に当該アドレスＡＤｐを格納し（Ｓ４３６）、発信機Ｐが発報した旨を当該発信機Ｐのアドレスとともに火災受信機ＲＥに表示し（Ｓ４３７）、グループ指定コードＣＭ２を１インクリメントしてＲＡＭ１４３に格納する（Ｓ４３８）。このとき、古いＣＭ２についての記憶は消去される。尚、ここにいう第３所定時間Ｔ３とは、発信機スロット開始時刻Ｔｐから発信機スロット終了時刻Ｔｅｐまでの時間をいう。また、当該第３所定時間Ｔ３を越えたか否かの判別も、上記管理タイマＴｓｌｔが行う。
【００８３】
一方、Ｓ４４４において、上記管理タイマＴｓｌｔが、発信機スロット終了時刻Ｔｅｐに満たないと判別した場合には、Ｔｓｌｔが、当該時刻Ｔｅｐとなるまで待つ（Ｓ４３５のＮ）。
【００８４】
また、Ｓ４３５において、当該第３所定時間Ｔ３まで火災受信機ＲＥが発報中の発信機Ｐから当該発信機ＰのアドレスＡＤｐを受信しない場合には（Ｓ４３５のＮ、Ｎ４４４のＮ）、前記と同様にグループ指定コードＣＭ２を１インクリメントしてＲＡＭ１４３に格納する（Ｓ４３８）。このとき、古いグループ指定コードＣＭ２についての記憶は消去される。
【００８５】
尚、上記Ｓ４３８において、グループ指定コードが最終グループ番号の時は、最初のグループ番号に戻る。
【００８６】
このようにして、全グループに属する発報中の発信機ＰのアドレスＡＤｐは発報発信機アドレス情報として、発信機スロットの間に返送され、火災受信機ＲＥに収集される。そして、Ｓ４３８でグループ指定コードＣＭ２を１インクリメントし、そして、火災受信機ＲＥが端末装置に対して何も行わない第２ウエイティングフィールドＷＦ２（図示しない）を経過した後、マイクロプロセッサＭＰＵ１は図９のＳ２に戻り、セレクティング命令及びシステムポーリング命令がない場合には（Ｓ２のＮ、Ｓ３のＮ）、グループ番号１についての「グループ情報収集フレーム」を含むポイントポーリングを行う。
【００８７】
尚、上記第２ウエイティングフィールドＷＦ２は各端末装置から返送される返送データＤ１及び二次サムチェックコードＳＳの返送時期のばらつきによる信号伝送上の冗長性をもたせることができるように端末装置の処理を軽減するためと伝送のバイトフレームの同期をとるためのものである。
【００８８】
そして、順次グループ番号２，３，．．．１５についての「グループ情報収集フレーム」と「発信機検出フレーム」とからなるポイントポーリングが終了した後、図示しなかったが、状態情報返送命令（ＣＭ１＝０１ｈ）の代わりに、種別情報ＩＤ返送命令（ＣＭ１＝００ｈ）をＡＤ、ＣＭ２とともに火災受信機ＲＥから送出することにより、順次グループ番号０，１，２，３，．．．，１５についての種別情報ＩＤを収集する「グループ情報収集フレーム」と「発信機検出フレーム」とからなるポイントポーリングを行う。このとき、当該ポイントポーリングは、返送データＤ１が状態情報の代わりに、種別情報ＩＤとなる点を除き、基本的には状態情報を収集する「グループ情報収集フレーム」を含むポイントポーリングの場合と同様である。そして、このポイントポーリングが終了した後、以下、状態情報を収集する「グループ情報収集フレーム」と「発信機検出フレーム」とからなるポイントポーリングと種別情報ＩＤを収集する「グループ情報収集フレーム」と「発信機検出フレーム」とからなるポイントポーリングとを交互に繰り返す。
【００８９】
尚、上記実施形態においては、伝送フレーム長管理タイマＴｆを火災受信機ＲＥに設け、Ｓ２に先立って、これを始動させ、当該タイマがオーバーフローする前にＳ４３８までの動作、あるいは、第２ウエイティングフィールドＷＦ２が終了しない場合には、ポイントポーリングを実施中のグループにおける当該ポイントポーリングを強制的に終了し、グループ指定コードＣＭ２を１インクリメントして次のグループについてポイントポーリングを開始するようにしてもよい。
【００９０】
このような上記動作を通じて、グループＧ０〜Ｇ１５に属する各端末装置の状態情報がグループごとに収集され、また同時に１回のポイントポーリングで全グループに属する発報中の発信機のアドレスを収集することが可能となる。そして、これら収集したデータに基づき火災受信機ＲＥは異常等を検出した端末装置を検出することができる。
【００９１】
尚、上記動作説明では、状態情報を収集する「グループ情報収集フレーム」と「発信機検出フレーム」とからなるポイントポーリングと、種別情報ＩＤを収集する「グループ情報収集フレーム」と「発信機検出フレーム」とからなるポイントポーリングとを交互に繰り返すようにしたが、常時は、状態情報を収集する「グループ情報収集フレーム」と「発信機検出フレーム」とからなるポイントポーリングを行い、操作部ＯＰから種別情報ＩＤを収集する「グループ情報収集フレーム」と「発信機検出フレーム」とからなるポイントポーリングを行う旨の命令をオペレータが火災受信機ＲＥに入力した場合にのみ、種別情報ＩＤを収集する「グループ情報収集フレーム」と「発信機検出フレーム」とからなるポイントポーリングを行い、全ての端末装置についての種別情報ＩＤを収集し、その後再び、状態情報を収集する「グループ情報収集フレーム」と「発信機検出フレーム」とからなるポイントポーリングを行うルーチンに戻るようにしてもよい。  また、種別情報ＩＤを収集する「ポイント・ポーリング」においては、発信機検出フレームを省略してもよい。
【００９２】
図１３は、図９において操作部ＯＰからシステムポーリングを行う旨の命令をオペレータが火災受信機ＲＥに入力した場合（Ｓ５）の具体例を示すフローチャートである。
【００９３】
Ｓ５において、操作部ＯＰからの入力命令があった場合には、システムポーリングでＲＡＭ１７１及びＲＡＭ１７２にＡＤとＣＭ１とを格納し（Ｓ５０１、Ｓ５０２）、当該ＡＤと当該ＣＭ１の伝送バイトの各アクティブビット数をカウントし（Ｓ５０３）カウント値を得、このカウント値を加算することにより加算値を得る（Ｓ５０４）。次に、当該加算値を反転させ反転値を得る（Ｓ５０５）。この反転値の最上位ビットを削除して、一次サムチェックコードＰＳを得る（Ｓ５０６）。この一次サムチェックコードＰＳをＲＡＭ１７３に格納する（Ｓ５０７）。  そして、ＲＡＭ１７１〜ＲＡＭ１７３に格納されている当該ＡＤ、当該ＣＭ１、一次サムチェックコードＰＳを信号送受信部ＴＲＸ１から順次、送出し（Ｓ５０８）、当該ＡＤと当該ＣＭ１と当該一次サムチェックコードＰＳとを、再送防止のためにＲＡＭ１７から消去する（Ｓ５０９）。そして、図９のＳ２に戻る。
【００９４】
尚、本実施形態では、ＡＤとＣＭ１と一次サムチェックコードＰＳとを火災受信機ＲＥから送出したまま、端末装置からは何も応答しないようにしたが、火災受信機ＲＥから送出された上記コマンドを受信したことを知らせる応答信号Ｄ１と端末装置から火災受信機ＲＥへの伝送が正常に行われたか否かを確認するためのニ次サムチェックコードＳＳとを図１０〜１２に示されるポイントポーリングの場合と同様に端末装置から火災受信機ＲＥに送信するようにしてもよい。
【００９５】
図１４及び図１５は、操作部ＯＰからセレクティングを行う旨の命令をオペレータが火災受信機ＲＥに入力した場合（Ｓ６）の具体例を示すフローチャートである。
【００９６】
Ｓ６において、操作部ＯＰからの入力命令があった場合には、ＲＡＭ１８１、ＲＡＭ１８２にセレクティングにおけるアドレスＡＤとコマンドＣＭ１とを読み出し（Ｓ６０１、Ｓ６０２）、当該ＡＤと当該ＣＭ１の伝送バイトの各アクティブビット数をカウントし（Ｓ６０３）、このカウント値を加算することにより加算値を得る（Ｓ６０４）。次に、当該加算値を反転させ反転値を得る（Ｓ６０５）。この反転値の最上位ビットを削除して、一次サムチェックコードＰＳを得る（Ｓ６０６）。この一次サムチェックコードＰＳをＲＡＭ１８３に格納する（Ｓ６０７）。そして、ＲＡＭ１８１〜ＲＡＭ１８３に格納されているアドレスＡＤとコマンドＣＭ１、一次サムチェックコードＰＳを信号送受信部ＴＲＸ１から順次、送出する（Ｓ６０８）。次に、管理タイマＴｓｌｔをスタートさせ（Ｓ６０９）、また、次に、当該管理タイマＴｓｌｔが、グループ内端末番号がｍの端末装置から返送される端末装置の自己アドレスＤＡと返送データＤａとニ次サムチェックコードＳＳを受信するためのスロットの開始時刻Ｔ４となっているか否かを判別する（Ｓ６１０）。当該管理タイマＴｓｌｔが、上記スロットの開始時刻Ｔ４となっていると判別した場合に（Ｓ６１０のＹ）、受信イネーブル状態即ち、受信可能状態となる（Ｓ６１１）。一方、当該管理タイマＴｓｌｔが、上記スロット開始時刻Ｔ４になっていないと判別した場合には、当該管理タイマＴｓｌｔが、上記スロット開始時刻Ｔ４となるまで待つ（Ｓ６１２のＮ）。また、当該管理タイマＴｓｌｔが、上記スロット開始時刻Ｔ４となるまでは、火災受信機ＲＥは端末装置に対して何も行わない第１ウエイティングフィールドＷＦ１となる。所定時刻Ｔ５内に端末装置から自己アドレスＤＡを受信したら（Ｓ６１２のＹ、Ｓ６２９のＮ）、ＤＡをＲＡＭ１９１に格納する（Ｓ６１３）。尚、当該所定時刻Ｔ５を越えたか否かの判別は、上記管理タイマＴｓｌｔが行う。次に、所定時刻Ｔ６内に端末装置から返送データＤａを受信したら（Ｓ６１４のＹ、Ｓ６３０のＮ）、ＤａをＲＡＭ１９２に格納する（Ｓ６１５）。当該所定時刻Ｔ６を越えたか否かの判別も、当該管理タイマＴｓｌｔが行う。さらに次に、所定時刻Ｔ７内に端末装置から二次サムチェックコードＳＳを受信したら（Ｓ６１６のＹ、Ｓ６３１のＮ）、ＳＳをＲＡＭ１９３に格納する（Ｓ６１７）。当該所定時刻Ｔ７を越えたか否かの判別も、当該管理タイマＴｓｌｔが行う。
【００９７】
更に次に、当該端末装置から火災受信機ＲＥへの伝送が正常に行われたか否かを判断するために、ＲＡＭ１９３に格納された二次サムチェックコードＳＳに基づきサムチェックを行う。
【００９８】
即ち、ＲＡＭ１８１〜ＲＡＭ１８３、ＲＡＭ１９１及びＲＡＭ１９２に各々格納されているアドレスＡＤとコマンドＣＭ１、一次サムチェックコードＰＳ、自己アドレスＤＡ、返送データＤａを読出し（Ｓ６１８〜Ｓ６２２）、アドレスＡＤとコマンドＣＭ１、一次サムチェックコードＰＳ、自己アドレスＤＡ、返送データＤａの伝送バイトの各アクティブビット数をカウントし（Ｓ６２３）、各カウント値を得、このカウント値を加算することにより加算値を得る（Ｓ６２４）。次に、当該加算値を反転させ反転値を得る（Ｓ６２５）。この反転値の最上位ビットを削除して（Ｓ６２６）、その演算結果即ち二次演算コードＳＣ２とする。そして、該二次演算コードＳＣ２がＲＡＭ１９３に格納されている二次サムチェックコードＳＳと一致するか否かを判断する（Ｓ６２７）。
【００９９】
サムチェックの結果が、一致すれば、伝送が正常に行われたので、（Ｓ６２７のＹ）、そのまま受信を禁止し（Ｓ６２８）、図９のＳ２へ戻る。
【０１００】
また、上記Ｓ６１２において、所定時刻Ｔ５内に端末装置から自己アドレスＤＡ受信しない場合には、Ｓ６３２に進み（Ｓ６２９のＹ）、無応答処理即ち、火災受信機ＲＥの表示部ＤＰに異常表示（無応答であるとの表示）が行われる。
【０１０１】
またさらに、上記Ｓ６３０において所定時刻Ｔ６内に端末装置から返送データＤａを受信しない場合、又は、上記Ｓ６３１において所定時刻Ｔ７内に端末装置から二次サムチェックコードＳＳを受信しない場合にも、Ｓ６３２に進み（Ｓ６３０のＹ、Ｓ６３１のＹ）、無応答処理即ち、火災受信機ＲＥの表示部ＤＰに異常表示（伝送異常であるとの表示）が行われる。
【０１０２】
さらに、上記Ｓ６２７において、上記二次演算コードＳＣ２がニ次サムチェックコードＳＳと一致しない場合即ち、サムチェックの結果が不一致である場合には（Ｓ６２７のＮ）、誤応答処理即ち、火災受信機ＲＥの表示部ＤＰに異常表示（伝送異常であるとの表示）が行われる。
【０１０３】
図１６は、上記実施形態における端末装置の一例としての中継器ＲＰのメインフローチャートを示す図である。
【０１０４】
まず、初期設定を行い（Ｕ１）、自己の有するグループ内端末番号から返送タイミング即ち情報返送開始時刻Ｔｄｍを算出する（Ｕ２）。受信信号があった場合は（Ｕ３のＹ）、ＡＤ、ＣＭ１、ＣＭ２、ＰＳを各々ＲＡＭ３４１〜ＲＡＭ３４４に格納する（Ｕ４〜Ｕ７）。
【０１０５】
次に、ＲＡＭ３４１のＡＤ、ＲＡＭ３４２のＣＭ１、ＲＡＭ３４３のＣＭ２、ＲＡＭ３４４のＰＳの伝送バイトの各アクティブビット数をカウントし（Ｕ８）、各カウント値を得、このカウント値を加算することにより加算値を得る（Ｕ９）。次に、当該加算値を反転させ反転値を得る（Ｕ１０）。この反転値の最上位ビットを削除して一次演算コードＳＣ３を得る（Ｕ１１）。この一次演算コードＳＣ３と一次サムチェックコードＰＳとが一致するか否かを判断する（Ｕ１２）。この受信した信号についてのサムチェックの結果が、一致すれば、伝送が正常に行われたので（Ｕ１２のＹ）、ＡＤの内容がポイントポーリング命令であるか否かを判別し（Ｕ１３）、ポイントポーリング命令である場合には、ＣＭ１の内容がポイント処理命令であるか否かを判別する（Ｕ１４）。ここで、ポイント処理命令である場合（ＣＭ１＝０Ｘｈ）には、ポイント処理を行う（Ｕ１５）。
【０１０６】
また、Ｕ１３において、ポイントポーリング命令でないと判別した場合（ＡＤ≠ＦＦ）には（Ｕ１３のＮ）、セレクティング処理を行う。
【０１０７】
一方、Ｕ１４において、ＣＭ１の命令がポイント処理命令でないと判別した場合（ＣＭ１≠０Ｘｈ）には（Ｕ１４のＮ）、システム処理を行う（Ｕ１６）。
【０１０８】
尚、Ｕ３において、受信信号のない場合には（Ｕ３のＮ）、状態情報の収集を行い（Ｕ１８）、得られた当該状態情報をＲＡＭ３２に格納する。このとき、ＲＡＭ２２には例えば直前の５回分のデータが格納されていて、そのうちの一番古い状態情報は消去される（Ｕ１９、Ｕ２０）。
【０１０９】
ここで、状態情報の収集は、中継器にオンオフ式火災感知器Ｆやガス漏れ検出器Ｇが接続されている時は火災信号やガス漏れ信号の有無を中継器が検出することにより、また、防火戸Ｄが接続されている時は開状態を示す開状態信号及び閉状態を示す閉状態信号を中継器が検出することにより、また、地区ベルＢが接続されている場合には鳴動状態を示す鳴動状態信号を中継器が検出することにより行う。尚、上記動作は、光電式火災感知器Ｓ等の火災感知器及び発信機Ｐにおいても同様である。
【０１１０】
また、システムポーリング、セレクティングのように火災受信機ＲＥからＣＭ２が送出されない場合にも、Ｕ６のステップを行わない点を除き、上記動作と基本的には同じである。
【０１１１】
図１７は、上記中継器ＲＰのポイント処理の動作を示すフローチャートである。
【０１１２】
ここで、マイクロプロセッサＭＰＵ３は、自己の属するグループが呼び出されたか判別する（Ｕ１０１）。自己のグループ番号とＣＭ２の上位桁が一致したと判別した場合には（Ｕ１０１のＹ）、自己の属するグループを指定していると判断し、自己の有する状態情報を火災受信機ＲＥに返送すべく、以下の動作を行う。
【０１１３】
即ち、ポイント処理の内容を判別するため、受信したコマンドＣＭ１が状態情報返送命令か否かを判別し（Ｕ１０２）、状態情報返送命令であるとＲＡＭ３２から現在の状態情報を読出して、この状態情報を返送データＤ１としてＲＡＭ３５１に格納する（Ｕ１０３）。そして、返送タイミング管理タイマＴｄを起動する（Ｕ１０４）。尚、Ｕ１０４でタイマＴｄがすでに起動している場合には当該タイマＴｄをクリアーして再スタートさせるリセットを行う。
【０１１４】
次に、タイマＴｄが情報返送開始時刻Ｔｄｍとなっているか否かを判別する（Ｕ１０５）。尚、ここで、情報返送開始時刻Ｔｄｍスロットの小文字ｍはグループ内端末番号を示す。タイマＴｄが、情報返送開始時刻Ｔｄｍとなっている場合（Ｕ１０５のＹ）には、ＲＡＭ３４１〜ＲＡＭ３４３、ＲＡＭ３５１に各々格納されているＡＤ、ＣＭ１、ＣＭ２、ＰＳ、Ｄ１とを読み出し（Ｕ１０６〜Ｕ１１０）、当該ＡＤ、ＣＭ１、ＣＭ２、ＰＳ、及びＤ１の伝送バイトの各アクティブビット数をカウントし（Ｕ１１１）、このカウント値を加算することにより加算値を得る（Ｕ１１２）。次に、当該加算値を反転させ反転値を得る（Ｕ１１３）。この反転値の最上位ビッニ次サムチェックコードＳＳとする（Ｕ１１４）。そして、ＲＡＭ３５１、ＲＡＭ３５２に格納されている返送データＤ１とニ次サムチェックコードＳＳとを信号送受信部ＴＲＸ１から順次、送出する（Ｕ１１５）。
【０１１５】
一方、Ｕ１０１で、マイクロプロセッサＭＰＵ３が自己のグループ番号とＣＭ２の上位桁が一致しないと判別した場合には（Ｕ１０１のＮ）、自己の属するグループを指定していないと判断し、リターンへ進み、ポイント処理は行わない。また、一方、Ｕ１０２で、受信した信号が状態情報返送命令でなかった場合（ＣＭ１≠０１ｈ）即ち種別情報ＩＤ返送命令（ＣＭ１＝０２ｈ）である場合には（Ｕ１０２のＮ）、ＲＯＭ３２に格納されている自己の種別情報ＩＤを読出して、ＲＡＭ３５１に格納する。そして、以下、Ｕ１０４〜Ｕ１１３を実行する。尚、状態情報の代わりに当該自己の種別情報ＩＤを返送データＤ１として、火災受信機ＲＥに送出される点を除き、Ｕ１０４〜Ｕ１１３の基本動作は上記の場合と同様である。
【０１１６】
また、さらに、Ｕ１０５において、一方タイマＴｄが、情報返送開始時刻Ｔｄｍになっていないと判別した場合（Ｕ１０５のＮ）には、情報返送開始時刻Ｔｄｍになるまで待つ。
【０１１７】
尚、Ｕ１０２〜Ｕ１０５においては、火災受信機ＲＥ側は端末装置に対して何も行わない第１ウエイティングフィールドＷＦ１となっており（Ｓ４１２）、このため、中継器ＲＰは自己に接続されているオンオフ式火災感知器Ｆ等から得た火災信号等のデータ解析を好条件で行うことができる。
【０１１８】
尚、上記実施形態においては、端末装置の一例として中継器ＲＰのポイント処理について示したが、これは端末装置が他の光電式火災感知器や熱式火災感知器等の火災感知器であっても基本的には同様である。即ち、例えば光電式火災感知器Ｓの場合には、当該状態情報の収集が、クロックからのクロックパルスの発生により発光回路ＬＤＣに接続される発光ダイオードＬＤが周期的に発光し、受光回路ＰＤＣに接続されるホトダイオードＰＤが当該発光光のうち煙により散乱されたものを受光して、煙濃度を検出することにより行われる点を除き基本的には中継器ＲＰと同様である。
【０１１９】
また、上記において、情報返送開始時刻Ｔｄｍは、上記Ｕ２において自己のグループ内端末番号ｍから算出され、各端末装置のグループ内端末番号ｍが大きくなればなるほど、即ち火災受信機ＲＥから遠くに設けられた端末装置ほど上記の情報返送開始時刻Ｔｄｍは遅くなるように設定されている。尚、上記情報返送開始時刻Ｔｄｍを算出するには、例えば当該端末装置の所定のＲＯＭにグループ内端末番号ｍと情報返送情報のテーブルを格納し、自己のグループ内端末番号ｍから対応する情報返送開始時刻を求めるようにする。また、上記情報返送開始時刻Ｔｄｍは火災受信機ＲＥが生成するグループ内端末番号ｍのためのスロットの開始時刻と同じ時間である。これによって、火災受信機ＲＥにおいて各端末装置に対応して設けられた各々のスロットに順次各端末装置の状態情報が返送される。
【０１２０】
図１８及び図１９は、上記実施形態における端末装置の一例として発信機Ｐのポイント処理の動作を示すフローチャートである。
【０１２１】
まず、初期設定を行い（Ｕ２０１）、図１７に示されるＵ１０１〜Ｕ１１５のグループ情報収集フレームに対する応答を実行する（Ｕ２０２）。次に、所定時刻Ｔ１ａ内に（Ｕ２１７のＹ）各発信機Ｐが自己が発報中か否かを押しボタンＳＷが押されているか否かにより判別する（Ｕ２０３）。即ち、当該所定時刻Ｔ１ａ内に押しボタンＳＷが押されており発報中と判別した場合（Ｕ２０３のＹ、Ｕ２１７のＮ）にはリターンし、Ｕ２０４に進む。一方、当該所定時刻Ｔ１ａを経過しても押しボタンＳＷが押されず、発報していないと判別した場合（Ｕ２０３のＮ、Ｕ２１７のＹ）にはこのまま待つ。尚、当該所定時刻Ｔ１ａは作業領域用のＲＡＭ４１に設けられたタイマにより経過したか否かが判別される。また、このタイマは上記初期設定とともに起動し、その初期設定時にすでに起動している場合には当該設定時にクリアーして再スタートさせるリセットが行われる。更にまた下記所定時刻Ｔ２ａ、Ｔ３ａについても同様である。次に各発信機Ｐが火災受信機ＲＥにより生成される発信機スロットを所定時刻Ｔ２ａ内に検出した場合（Ｕ２０４のＹ、Ｕ２１８のＮ）はＳ２０５に進む。一方、各発信機Ｐが発信機スロットを検出しない場合（Ｕ２０４のＮ、Ｕ２１８のＹ）にはリターンする。ここで、発信機スロットの検出は、上記グループ情報収集フレームにおけるデータ返送用のスロットが全て終了したことを発信機Ｐが判別することにより行われる。
【０１２２】
Ｕ２０５に進んだ場合には、ｂを７にセットし、Ｕ２０６ヘ進む。ここで、ｂは、送信ビット数カウンタであり、ｂは十進数で示される。そして、「ＡＤ．ｂ」により発信機Ｐのアドレスの最下位からｂだけ上位の位の数即ち最下位からｂだけ上位の位のビットを示す。従って、例えば、ｂ＝０の場合「ＡＤ．ｂ」は最下位のビット、ｂ＝７の場合「ＡＤ．ｂ」は最上位ビットを示す。尚、先述のように、各発信機Ｐのアドレスは８ビットで表される２進数で示される。
【０１２３】
Ｕ２０６において発信機Ｐが火災受信機ＲＥから送出された発信機呼出パルスを所定時間Ｔ３ａ内に検出した場合（Ｕ２０５のＹ）は、ビットタイマＴｂを起動させる（Ｕ２０７）。尚、ここで、図示しなかったが、前回のポイントポーリングで自己のアドレスを送出したか否かを判別し、送出していた場合にはリターンに進む。これは、火災受信機ＲＥがポイントポーリングを繰り返すことにより発報している発信機をアドレスの大きい順に逐次火災受信機ＲＥが検出できるようにするためである。その後当該タイマＴｂが所定時間経過したと判別した場合（Ｕ２０８のＹ）に、Ｕ２０９に進む。尚、タイマＴｂが所定時間経過していないと判別した場合（Ｕ２０８のＮ）には、そのまま待つ。ここにいう所定時間とは、発信機呼出パルスの幅分の時間である。これは、火災受信機ＲＥからの発信機呼出パルスと発信機Ｐからのアドレス送信信号とが重複しないようにするためである。従って、ここにいう、所定時間には例えば１ビットに相当する時間即ち１／２４００秒が採用される。一方、Ｕ２０６において各発信機Ｐが火災受信機ＲＥから送出された発信機検出パルスが所定時間Ｔ３ａ内に検出されない場合（Ｕ２０６のＮ、Ｕ２１９のＹ）には、リターンする。
【０１２４】
Ｕ２０９においては発信機ＰのアドレスＡＤｐの最下位からｂだけ上位の位のビットを送出するとともに、再度タイマＴｂを起動させ、Ｕ２１０に進む。尚、当該アドレスＡＤｐはＲＡＭ４４に記憶されている。
【０１２５】
そして、Ｕ２１０において、当該発信機Ｐから送出されるそのアドレスＡＤｐの最下位からｂだけ上位の位のビットが０の場合には（Ｕ２１０のＹ、Ｕ２１１のＮ）、信号線の状態が０であるか１であるかを所定時間内にわたり監視し、判別する（Ｕ２１４）。即ち、当該発信機Ｐは、他の発信機Ｐからも送出されるアドレスの最下位からｂだけ上位の位のビットが０であるか１であるかを所定時間内にわたり監視し、判別する。ここで、信号線の状態が０のまま、上記所定時間を経過した場合には（Ｕ２１４のＮ、Ｕ２１５のＹ）、ｂの値を１デクリメントし（Ｕ２１２）、Ｕ２１３へ進む。一方、上記所定時間内に信号線の状態が１となった場合即ち自分よりも大きいアドレスを有する発信機Ｐが発信中の場合には、他の発信機Ｐがアドレス送信中と判別して（Ｕ２１４のＹ）、Ｕ２１６に進む。尚、ここにいう上記所定時間には、例えば、発信機Ｐからのアドレス送信信号の１ビット幅の時間である１／２４００秒が採用される。これは、各々の発信機Ｐからアドレスとして送出される８ビットで表される２進数の各位の数を逐次比較するためである。
【０１２６】
ここで、Ｕ２１６に進んだ場合には、当該発信機Ｐからの発信機アドレスの送信を強制的に終了する。
【０１２７】
尚、上記Ｕ２１０において、当該発信機Ｐから送出されるアドレスの最下位からｂだけ上位の位のビットが１の場合には（Ｕ２１０のＮ）、タイマＴｂがオーバーフローするまで所定時間待ち（Ｕ２１１）、ｂの値を１デクリメントし（Ｕ２１２）、Ｕ２１３へ進む。ここで、このように待ち時間を設けたのは、発信機Ｐからのアドレス送信信号の１ビット分と、同じ発信機Ｐから次に送出されるアドレス送信信号の１ビット分とが、重複しないようにするためである。
【０１２８】
また、Ｕ２１３に進んだ場合には、ｂが０以上か否かを判別する。ここで、ｂが０以上であれば（Ｕ２１３のＹ）、発信機ＰのアドレスＡＤｐの各位のビット全てを送出していないので、Ｕ２０９まで戻り、上記Ｕ２０９〜Ｕ２１３までのルーチンを繰り返す。一方、ｂが０未満である場合は（Ｕ２１３のＮ）、発信機ＰのアドレスＡＤｐの各位のビット全てを送出したので、送信は終了する。
【０１２９】
よって、上記Ｕ２０９〜Ｕ２１３までのルーチンを繰り返すことにより、発信機ＰのアドレスＡＤｐの各位のビットは上位から逐次送出され、又、発信機Ｐがビット単位で送信データと受信データを比較し、非アクティブレベルを送信しているにもかかわらずアクティブレベルを受信した発信機Ｐが送信を中止し、最終的に、火災受信機ＲＥは１つ発信機Ｐのみのアドレスを発報発信機アドレス情報として得ることができる。尚、上記グループ情報収集フレームの説明で示したように、１つの発信機Ｐが自己の発信機Ｐのアドレスの送出を終了したのちにチェックコードを送出するようにして、伝送が正常に行われたか否かを火災受信機ＲＥが確認できるようにしてもよい。
【０１３０】
尚、上記実施形態では、１つのグループ内の端末装置の数を１６台としたが、１６以外の数でもよく、又、グループの数を１６としたが、１６以外のグループに分けてもよい。
【０１３１】
また、個々の端末装置にアドレスを付与する場合には、２桁の数を用いて、上記のように表現する他に、下位桁をグループ番号、上位桁を各グループ内端末番号となるように２桁の１６進数を用いて表示してもよく、また、全ての端末装置を特定できるのであれば２桁には限定されず、複数の端末装置各々に複数の桁数で表示されるアドレスを付与し、アドレス中の数桁でグループ番号、残りの桁で各グループ内端末番号を表示するようにしてもよい。
【０１３２】
尚、上記実施形態において、複数の発信機が発報した場合に、当該発報した各発信機の８ビットの２進数として表されるアドレスの各位の数の大小を最上位から比較することにより、発報した発信機のアドレスのうち最大のアドレスを優先して火災発信機ＲＥに送出するようにしたが、発信機Ｐが自己のアドレスを下位のビットから順次送出するようにして、発報した各発信機の８ビットの２進数として表されるアドレスの各位の数の大小を最下位から比較することにより、発報した発信機のうちの１つの発信機のアドレスを優先的に火災受信機ＲＥに送出するようにしてもよい。
【０１３３】
図２０は、上記実施形態における端末装置の一例として中継器ＲＰのシステム処理（Ｕ１６）の動作を示すフローチャートである。
【０１３４】
尚、システム処理（Ｕ１６）に入るときには、ＲＡＭ３４１、ＲＡＭ３４２、ＲＡＭ３４４に格納されているＡＤ、ＣＭ１、ＰＳを各々ＲＡＭ３６１、ＲＡＭ３６２、ＲＡＭ３６３に移す。
【０１３５】
まず、マイクロプロセッサＭＰＵ３が受信したコマンドＣＭ１が火災復旧命令であるか否かについて判別し（Ｕ３０１）、火災復旧命令である場合には（Ｕ３０１のＹ）、火災信号受信回路ＦＳＲ、地区音響制御回路ＬＡＣ等を復旧し、リターンする。一方、火災復旧命令でない場合には（Ｕ３０１のＮ）、当該コマンドＣＭ１が蓄積復旧命令であるか否かについて判別し（Ｕ３０３）、蓄積復旧命令である場合には（Ｕ３０３のＹ）、火災信号受信回路ＦＳＲを復旧し（Ｕ３０４）、リターンする。一方、蓄積復旧命令でない場合には（Ｕ３０３のＮ）、当該コマンドＣＭ１が地区音響停止命令であるか否かについて判別し（Ｕ３０５）、地区音響停止命令である場合には（Ｓ３０５のＹ）、地区音響制御回路ＬＡＣをオフ制御し（Ｕ３０６）、リターンする。一方、地区音響停止命令でない場合には（Ｓ３０５のＮ）、非常放送停止命令であるか否かについて判別し（Ｕ３０７）、非常放送停止命令である場合には（Ｓ３０７のＹ）、非常放送制御回路ＢＡＣをオフ制御し（Ｕ３０８）、リターンする。一方、非常放送停止命令でない場合（Ｓ３０８のＮ）にはそのままリターンする。
【０１３６】
尚、本実施形態では、中継器ＲＰについてのシステムポーリングについて示したが、光電式火災感知器Ｓ等の火災感知器の場合は地区音響停止命令及び非常放送停止命令による制御を受けない点、発信機Ｐの場合は蓄積復旧命令、地区音響停止命令及び非常放送停止命令による制御を受けない点を除いては、上記中継器ＲＰについてのシステムポーリングの場合と基本的には同様である。
【０１３７】
図２１及び図２２は、上記実施形態における端末装置の一例として中継器ＲＰのセレクティング処理（Ｕ１７）の具体的な動作を示すフローチャートである。尚、セレクティング処理（Ｕ１７）に入るときには、ＲＡＭ３４１、ＲＡＭ３４２、ＲＡＭ３４４に格納されているＡＤ、ＣＭ１、ＰＳを各々ＲＡＭ３７１、ＲＡＭ３７２、ＲＡＭ３７３に移す。
【０１３８】
まず、ここで、マイクロプロセッサＭＰＵ３が中継器ＲＰの自己アドレスと受信したアドレスＡＤとが一致するか否かを判別する（Ｕ４０１）。当該自己アドレスと受信したアドレスＡＤとが一致したと判別した場合には（Ｕ４０１のＹ）、当該中継器ＲＰを指定していると判断し、自己の有する状態情報を火災受信機ＲＥに返送すべく、以下の動作を行う。
【０１３９】
即ち、セレクティング処理の内容を判別するため、受信した信号が種別情報ＩＤ返送命令（ＣＭ＝００ｈ）であるか否か（Ｕ４０２）を判別し、種別情報ＩＤ返送命令であれば（Ｕ４０２のＹ）、ＲＯＭ３２から種別情報ＩＤ及び自己のアドレスを読出し、ＲＡＭ３８２に格納する（Ｕ４０３）。そして、ＲＡＭ３７１、ＲＡＭ３７２、ＲＡＭ３７３、ＲＡＭ３８１、ＲＡＭ３８２に各々格納されているアドレスＡＤ、コマンドＣＭ１、一次サムチェックコードＰＳ、自己のアドレスＤＡ、返送データＤａとを読み出し（Ｕ４１５〜Ｕ４１９）、当該アドレスＡＤ、コマンドＣＭ１、一次サムチェックコードＰＳ、自己のアドレスＤＡ、返送データＤａの伝送バイトの各アクティブビット数をカウントし（Ｕ４２０）カウント値を得、このカウント値を加算することにより加算値を得る（Ｕ４２１）。次に、当該加算値を反転させ反転値を得る（Ｕ４２２）。この反転値の最上位ビットを削除して、ニ次サムチェックコードＳＳを得る（Ｕ４２３）。このニ次サムチェックコードＳＳをＲＡＭ３８３に格納する（Ｕ４２４）。そして、ＲＡＭ３８１、ＲＡＭ３８２、ＲＡＭ３８３に格納されている自己のアドレスＤＡ、返送データＤａとニ次サムチェックコードＳＳとを信号送受信部ＴＲＸ３から順次、送出する（Ｕ４２４）。
一方、Ｕ４０２で、マイクロプロセッサＭＰＵ３が受信した信号を種別情報ＩＤ返送命令でないと判別した場合には（Ｕ４０２のＮ）、受信した信号が状態情報返送命令（ＣＭ１＝０１ｈ）であるか否かを判別し（Ｕ４０４）、状態情報返送命令（ＣＭ１＝０１ｈ）であると判別した場合には、  ＲＡＭ３２から状態情報を読出し、ＲＡＭ３８２に格納するとともに、図示しなかったがＲＯＭ３２から自己のアドレスを読出し、ＲＡＭ３８２に格納する（Ｕ４０５）。そして、以下、Ｕ４１５〜Ｕ４２４を実行する。尚、自己の種別情報ＩＤの代わりに当該状態情報を返送データＤａとして、火災受信機ＲＥに送出される点を除き、Ｕ４１５〜Ｕ４２４の基本動作は上記の場合と同様である。
【０１４０】
また一方、Ｕ４０４で、マイクロプロセッサＭＰＵ３が受信したコマンドＣＭ１が火災復旧命令であるか否かについて判別し（Ｕ４０６）、火災復旧命令である場合には（Ｕ４０６のＹ）、火災信号受信回路ＦＳＲ、地区音響制御回路ＬＡＣ等を復旧し、Ｕ４１５に進む。一方、火災復旧命令でない場合には（Ｕ４０６のＮ）、当該コマンドＣＭ１が蓄積復旧命令であるか否かについて判別し（Ｕ４０８）、蓄積復旧命令である場合には（Ｓ４０８のＹ）、火災信号受信回路ＦＳＲを復旧し（Ｕ４０９）、Ｕ４１５に進む。更に一方、蓄積復旧命令でない場合には（Ｓ４０８のＮ）、当該コマンドＣＭ１が地区音響停止命令であるか否かについて判別し（Ｕ４１０）、地区音響停止命令である場合には（Ｕ４１０のＹ）、地区音響制御回路ＬＡＣをオフ制御し（Ｕ４１１）、Ｕ４１５に進む。一方、地区音響停止命令でない場合には（Ｕ４１０のＮ）、非常放送停止命令であるか否かについて判別し（Ｕ４１２）、非常放送停止命令である場合には（Ｕ４１２のＹ）、非常放送制御回路ＢＡＣをオフ制御し（Ｕ４１３）、Ｕ４１５に進む。一方、非常放送停止命令でない場合（Ｕ４１２のＮ）にはそのままリターンする。
【０１４１】
尚、上記実施形態のポイントポーリングにおいてはＣＭ１により各種データのうち状態情報を返送するか種別情報ＩＤを返送するかの区別がなされ、ＣＭ２によりグループが指定されるようにしたが、これとは逆にＣＭ２により各種データのうち状態情報を返送するか種別情報ＩＤを返送するかの区別がなされ、ＣＭ１によりグループが指定されるようにしてもよい。
【０１４２】
また、上記実施形態のシステムポーリング及びセレクティングにおいては、コマンドＣＭ２は使用しないとしたが、例えば、火災受信機ＲＥから火災感知器の確認灯を消灯するための確認灯消灯命令を端末装置に送出するときは、確認灯を制御する命令としてコマンドＣＭ１を、消灯する命令としてコマンドＣＭ２を順次、アドレスＡＤや一次サムチェックコードＰＳとともに送出するようにしてもよい。
【０１４３】
さらにまた、本実施形態では、中継器ＲＰについてのセレクティングについて示したが、光電式火災感知器Ｓ等の火災感知器の場合は地区音響停止命令及び非常放送停止命令による制御を受けない点、発信機Ｐの場合は蓄積復旧命令、地区音響停止命令及び非常放送停止命令による制御を受けない点を除いては、上記中継器ＲＰについてのセレクティングの場合と基本的には同様である。
【０１４４】
また、本実施形態のポイントポーリングで、１つのグループから順次各端末装置から返送データＤ１と二次サムチェックコードＳＳを受信するときには状態情報又は種別情報ＩＤを受信するための上記スロットの幅は、グループ内端末番号ｍが大きくなるにつれ広くなるようにする。例えば、図２３ではグループ番号１のグループについてポイントポーリングが行われた場合のスロットの幅について示しているが、ｍ＝０ｈからｍ＝１０ｈになるに従ってにスロットの幅が広くなるようにスロット幅を設定している。これは、火災受信機ＲＥや端末装置に用いられるＭＰＵ１、ＭＰＵ２、ＭＰＵ３、ＭＰＵ４の発振子の振動数は必ずしも、製品に明示された値そのものであることは少なく、一般に誤差が１％含まれているためである。このように、上記各スロットに広がりを持たせることによって、各発振子の振動数の誤差による火災受信機ＲＥと各端末装置から送出される各返送データＤ１と二次サムチェックコードＳＳの授受のタイミングのずれを吸収することができる。
【０１４５】
またさらに、システム処理又はセレクティング処理に入るときには、ＲＡＭ３４１、ＲＡＭ３４２、ＲＡＭ３４４のＡＤ、ＣＭ１、ＰＳを他のＲＡＭに移るように動作させたが、移すことなく当該ＲＡＭ３４１、ＲＡＭ３４２、ＲＡＭ３４４の内容（ＡＤ、ＣＭ１、ＰＳ）をシステム処理やセレクティング処理においてそのまま使用するようにしてもよい。
【０１４６】
尚、本実施形態では、伝送が正常に行われたか否かを上記のようなサムチェック方法で行うこととしたが、各ＡＤ、ＣＭ１、ＣＭ２及びこれらを単純に加算した１次加算コードＰＳを送出し、ポーリングによって呼び出された端末装置は、受信した各ＡＤ、ＣＭ１、ＣＭ２を単純に加算し、この加算結果（第１加算コード）と１次加算コードＰＳとが一致するか否かにより、火災受信機から受信した信号が正常である否かを端末装置が認識でき、一方、この端末装置は、火災受信機に返送する返送データＤ１等と火災受信機ＲＥから受信したＡＤ、ＣＭ１、ＣＭ２、１次加算コードＰＳとを単純に加算して２次加算コードＳＳを作成し、火災受信機ＲＥは、端末装置から受信した返送データＤ１等と端末装置に返送したＡＤ、ＣＭ１、ＣＭ２、ＰＳとを単純に加算した第２加算コードと、端末装置から受信した２次加算コードＳＳとを比較することにより、火災受信機から送出したアドレスコードと命令コードとを端末装置が正常に受信したことを火災受信機が認識できるようにしてもよい。
【０１４７】
【効果】
本発明は、上記発信機を有する端末装置が多数接続されている場合に、発信機の作動した端末装置を迅速に特定し、当該発信機に受信機から火災通報が伝送された旨の表示を迅速に行うことができるという効果を奏する。
【図面の簡単な説明】
【図１】上記実施形態を適用する防災設備の系統図である。
【図２】アドレスを示す８ビットで構成されるコードの一例である。
【図３】本発明の一実施形態を示すタイムチャートである。
【図４】本発明の上記実施形態において３台の発信機が動作した場合のタイムチャートを示す。
【図５】上記実施形態における火災受信機ＲＥの一例を示すブロック図である。
【図６】上記実施形態における端末装置の一例としての光電式火災感知器Ｓを示すブロック図である。
【図７】上記実施形態における端末装置の一例としての中継器ＲＰを示すブロック図である。
【図８】上記実施形態における端末装置の一例としての発信機Ｐを示すブロック図である。
【図９】上記実施形態における火災受信機ＲＥのシステムフローチャートである。
【図１０】図９おけるポイントポーリングの具体的な動作を示すフローチャートである。
【図１１】図９おけるポイントポーリングの具体的な動作を示すフローチャートである。
【図１２】図９おけるポイントポーリングの具体的な動作を示すフローチャートである。
【図１３】図９おけるシステムポーリングの具体的な動作を示すフローチャートである。
【図１４】図９おけるセレクティングの具体的な動作を示すフローチャートである。
【図１５】図９おけるセレクティングの具体的な動作を示すフローチャートである。
【図１６】上記実施形態における端末装置の一例としての中継器ＲＰのメインフローチャートである。
【図１７】上記実施形態における中継器ＰＲのポイント処理の具体的な動作を示すフローチャートである。
【図１８】上記実施形態における発信機Ｐのポイント処理の具体的な動作を示すフローチャートである。
【図１９】上記実施形態における発信機Ｐのポイント処理の具体的な動作を示すフローチャートである。
【図２０】上記実施形態における中継器ＲＰのシステム処理の具体的な動作を示すフローチャートである。
【図２１】上記実施形態における中継器ＲＰのセレクティング処理の具体的な動作を示すフローチャートである。
【図２２】上記実施形態における中継器ＲＰのセレクティング処理の具体的な動作を示すフローチャートである。
【図２３】スロット幅を示す図である。
【符号の説明】
ＲＥ  受信部としての火災受信機
Ｓ    アナログ式火災感知器
ＲＰ  中継器
Ｂ    地区音響装置（地区ベル）
Ｇ    ガス漏れ検出器
Ｄ    被制御機器としての防火戸
Ｆ    オンオフ式火災感知器
Ｐ    発信機
ＰＣ  発信機呼出パルス
【図１】
0003658696.tif 000002
【図２】
0003658696.tif 000003
【図３】
0003658696.tif 000004
【図４】
0003658696.tif 000005
【図５】
0003658696.tif 000006
【図６】
0003658696.tif 000007
【図７】
0003658696.tif 000008
【図８】
0003658696.tif 000009
【図９】
0003658696.tif 000010
【図１０】
0003658696.tif 000011
【図１１】
0003658696.tif 000012
【図１２】
0003658696.tif 000013
【図１３】
0003658696.tif 000014
【図１４】
0003658696.tif 000015
【図１５】
0003658696.tif 000016
【図１６】
0003658696.tif 000017
【図１７】
0003658696.tif 000018
【図１８】
0003658696.tif 000019
【図１９】
0003658696.tif 000020
【図２０】
0003658696.tif 000021
【図２１】
0003658696.tif 000022
【図２２】
0003658696.tif 000023
【図２３】
0003658696.tif 000024